(57)【要約】【課題】改良された同期ビーコン検出方法を提供すること。【解決手段】同期ビーコン検出の実行。ＵＥは、例えば第１の無線機アクセス技術（ＲＡＴ）及び第２のＲＡＴを同時をサポートする第１の無線機を含むことができる。ＵＥは、第１のＲＡＴに従う第１の無線機での基地局との送信を実行することができる。ＵＥは、第２のＲＡＴで同期ビーコンを検出するためにチューンアウェイを実行する要求を受信することができる。同期ビーコンは、連続した第１の時間期間において繰返し発生することができる。ＵＥは、連続した第１の時間期間にわたって異なる小部分において同期ビーコンの探索を繰返し実行することができる。探索は、同期ビーコンが連続した期間の１つのそれぞれの小部分に位置付けられるまで、繰返し実行することができる。【選択図】図１
2015181226.tif 000002
【特許請求の範囲】
【請求項１】
ＵＥデバイスを動作させる方法であって、
前記方法が、
第１の無線機アクセス技術（ＲＡＴ）及び第２のＲＡＴに従って動作するよう構成可能な第１の無線機を備えるユーザ装置デバイス（ＵＥ）において、
前記第１の無線機上で前記第１のＲＡＴに従って基地局との通信を実行するステップと、
前記第２のＲＡＴに対して連続した第１の時間期間において繰返し発生する同期ビーコンを検出するためにチューンアウェイを実行する要求を受信するステップと、
前記要求に応答して、連続した第１の時間期間にわたって該第１の時間期間の異なる小部分で前記同期ビーコンの探索を繰返し実行するステップと、
を含み、前記探索は、前記同期ビーコンが前記連続した期間のうちの１つのそれぞれの小部分に位置付けられるまで繰返し実行される、方法。
【請求項２】
前記第２のＲＡＴのチャネル品質を決定するステップと、
前記チャネル品質を閾値と比較するステップと、
を更に含み、前記同期ビーコンの探索を繰返し実行するステップが、前記チャネル品質と前記閾値の比較に基づいて実行される、請求項１に記載の方法。
【請求項３】
前記閾値が約−９０ｄＢｍである、請求項２に記載の方法。
【請求項４】
前記チャネル品質を決定するステップが、前記第２のＲＡＴの受信信号強度インジケータ（ＲＳＳＩ）を決定するステップを含む、請求項２に記載の方法。
【請求項５】
前記チャネル品質が前記閾値を下回る時に、前記方法が、単一の第１の時間期間における前記同期ビーコンの探索を実行するステップを含み、前記単一の第１の時間期間における前記同期ビーコンの探索に加えて、連続した第１の時間期間にわたって前記第１の時間期間の異なる小部分において前記同期ビーコンの探索を繰返し実行する前記ステップが実行される、請求項２に記載の方法。
【請求項６】
前記チャネル品質が前記閾値を上回る時に、単一の第１の時間期間における前記同期ビーコンの探索を実行する代わりに、前記探索を繰返し実行する前記ステップが実行される、請求項５に記載の方法。
【請求項７】
前記探索を繰返し実行する前記ステップが、
第１の連続した第１の時間期間における第１の時間期間の第１の小部分をサンプリングするステップと、
前記第１の連続した第１の時間期間における第１の時間期間の第１の小部分の同期ビーコン検出を実行するステップと、
前記同期ビーコン検出の実行と同時に、第２の連続した第１の時間期間における第１の時間期間の第２の小部分をサンプリングするステップと、
を含む、請求項１に記載の方法。
【請求項８】
前記繰返し実行するステップにより、前記第１のＲＡＴの基地局が、前記第１の時間期間にわたって前記ＵＥに対する複数の迅速フェージングインスタンスを観測し、単一の第１の時間期間における同期ビーコン検出の実行ステップよりも低い平均ブロック誤り率（ＢＬＥＲ）を結果として生じる、請求項１に記載の方法。
【請求項９】
前記第１のＲＡＴがロング・ターム・エボリューション（ＬＴＥ）を含み、前記第２のＲＡＴがグローバル・システム・フォー・モバイル・コミュニケーションズ（ＧＳＭ）を含む、請求項１に記載の方法。
【請求項１０】
前記同期ビーコンが、前記第２のＲＡＴの周波数訂正チャネル（ＦＣＣＨ）のバーストを含む、請求項１に記載の方法。
【請求項１１】
選択的な近傍セル測定を実行するよう構成されたユーザ装置デバイス（ＵＥ）であって、
ロング・ターム・エボリューション（ＬＴＥ）及びグローバル・システム・フォー・モバイル・コミュニケーションズ（ＧＳＭ）を使用して通信を実行し、ＬＴＥとＧＳＭ双方への接続を維持するよう構成された第１の無線機と、
前記第１の無線機に結合された１又はそれ以上のプロセッサと、
を備え、前記１又はそれ以上のプロセッサ及び前記第１の無線機が、
前記第１の無線機を使用してＬＴＥ基地局とのＬＴＥ通信を実行し、
前記ＬＴＥ基地局とのＬＴＥ通信を実行している間に、連続した第１の時間期間にわたって第１の時間期間の異なる小部分においてＧＳＭに対する同期ビーコンの探索を繰返し実行する、
よう構成され、前記探索は、前記同期ビーコンが前記連続した期間の１つのそれぞれの小部分に位置付けられるまで繰返し実行され、前記同期ビーコンの探索の実行が、前記第１の無線機を使用して実行され、前記同期ビーコンが、ＧＳＭの基地局によって送信される、ユーザ装置デバイス（ＵＥ）。
【請求項１２】
前記１又はそれ以上のプロセッサが更に、
ＧＳＭのチャネル品質を決定し、
前記チャネル品質を閾値と比較する、
よう構成され、前記同期ビーコンの探索を繰返し実行することが、前記チャネル品質と前記閾値の比較に基づいて実行される、請求項１１に記載のＵＥ。
【請求項１３】
前記チャネル品質を決定することが、ＧＳＭの前記基地局の信号強度を決定することを含む、請求項１２に記載のＵＥ。
【請求項１４】
前記チャネル品質が前記閾値を下回る時には、前記方法は、
単一の第１の時間期間における前記同期ビーコンの探索を実行するステップを含み、前記単一の第１の時間期間における前記同期ビーコンの探索に加えて、連続した第１の時間期間にわたって前記第１の時間期間の異なる小部分において前記同期ビーコンの探索を繰返し実行するステップが実行される、請求項１２に記載のＵＥ。
【請求項１５】
前記第１の時間期間が１０個のＧＳＭフレームを含み、前記同期ビーコンが、周波数訂正チャネル（ＦＣＣＨ）バーストを含む、請求項１１に記載のＵＥ。
【請求項１６】
前記探索を繰返し実行することが、
第１の連続した第１の時間期間における第１の時間期間の第１の小部分をサンプリングし、
前記第１の連続した第１の時間期間における第１の時間期間の第１の小部分の同期ビーコン検出を実行し、
前記同期ビーコン検出の実行と同時に、第２の連続した第１の時間期間における第１の時間期間の第２の小部分をサンプリングする、
ことを含む、請求項１１に記載のＵＥ。
【請求項１７】
前記ＵＥは、ＳＩＭ（加入者識別モジュール）機能を実装するよう各々構成された２つのスマートカードを含み、前記ＵＥが、前記第１の無線機を使用してＤＳＤＡ（デュアルＳＩＭデュアルアクティブ）機能を実装するよう構成される、請求項１１に記載のＵＥ。
【請求項１８】
ユーザ装置デバイス（ＵＥ）による選択的測定を実行するためのプログラム命令を記憶する非一時的コンピュータアクセス可能メモリ媒体であって、前記ＵＥが第１の無線機アクセス技術（ＲＡＴ）及び第２のＲＡＴを使用して通信するための第１の無線機を備え、前記プログラム命令が、
前記第１の無線機を使用して第１のＲＡＴ基地局との第１のＲＡＴ送信を実行し、
第２のＲＡＴ同期ビーコンを探索するために第２のＲＡＴのチューンアウェイを実行する要求を受信し、
前記要求に応答して、第１の時間期間にわたって分散される複数の第２のＲＡＴチューンアウェイ動作を実行する、
ようプロセッサによって実行可能であり、前記複数の第２のＲＡＴチューンアウェイ動作の各々が、前記第２のＲＡＴ同期ビーコンを探索するための標準的な第２のＲＡＴチューンアウェイ動作よりも短く、前記第１の時間期間が、前記第２のＲＡＴ同期ビーコンを探索するための標準的な第２のＲＡＴチューンアウェイ動作よりも長い、非一時的コンピュータアクセス可能メモリ媒体。
【請求項１９】
前記第２のＲＡＴがグローバル・システム・フォー・モバイル・コミュニケーションズ（ＧＳＭ）を含み、前記同期ビーコンが周波数訂正チャネル（ＦＣＣＨ）のバーストを含む、請求項１８に記載の非一時的コンピュータアクセス可能メモリ媒体。
【請求項２０】
前記同期ビーコンが、ｎフレーム毎に繰返しブロードキャストされ、複数の第２のＲＡＴチューンアウェイ動作を実行することが、
ｎフレームの第１のセットの第１の小部分をサンプリングし、
前記ｎフレームの第１のセットの第１の小部分の同期ビーコン検出を実行し、
前記同期ビーコン検出の実行と同時に、ｎフレームの第２のセットの第２の小部分をサンプリングする、
ことを含み、前記第１の小部分が、前記第２のセットのｎフレームの第２の小部分とは異なる第１のセットのｎフレームの小部分である、請求項１８に記載の非一時的コンピュータアクセス可能メモリ媒体。
【発明の詳細な説明】
【技術分野】
【０００１】
本出願は、無線デバイスに関し、より詳細には、複数の無線アクセス技術（ＲＡＴ）をサポートする無線デバイスの改良された性能及び／又は低減された電力消費を提供するシステム及び方法に関する。
【背景技術】
【０００２】
無線通信システムの使用が迅速に増加している。更に、無線通信技術は、音声のみの通信から発展して、インターネット及びマルチメディアコンテンツのようなデータ伝送も含むようになっている。従って、無線通信における改良が要求される。特に、ユーザ装置（ＵＥ）、例えば携帯電話のような無線デバイスに存在する数多くの機能が、ＵＥのバッテリ寿命に大きな負担をかける可能性がある。更に、ＵＥが複数の無線アクセス技術（ＲＡＴ）をサポートするよう構成される場合、ＲＡＴの１又はそれ以上において、他のＲＡＴのチューンアウェイ（ｔｕｎｅ−ａｗａｙ）動作などに起因してある一定の性能劣化が生じる可能性がある。その結果として、このような無線ＵＥデバイスの省電力及び／又は改良された性能を提供する技術が求められている。
【０００３】
既存のＲＡＴに加えて、新しい改良されたセルラー無線アクセス技術（ＲＡＴ）が用いられることがある。例えば、第３世代パートナーシッププロジェクト（３ＧＰＰ）によって開発及び標準化されたロング・ターム・エボリューション（ＬＴＥ）技術を実装したネットワークが現在展開されている。ＬＴＥ及び他の新しいＲＡＴは、様々な第２世代（２Ｇ）及び第３世代（３Ｇ）ＲＡＴのようなレガシーＲＡＴを利用したネットワークよりも高速のデータ転送速度をサポートすることが多い。
【０００４】
しかしながら、一部の展開においては、ＬＴＥ及び他の新しいＲＡＴが、レガシーネッワークにより処理可能な一部のサービスを十分にはサポートしていない場合がある。従って、ＬＴＥネットワークは、レガシーネットワークと重なり合う領域において同時に展開されることが多く、サービス又はカバレージが要求する時にＵＥデバイスがＲＡＴ間を遷移する可能性がある。例えば、一部の展開においては、ＬＴＥネットワークは、音声通話をサポートすることができない。従って、例えば、ＵＥデバイスが、音声通話をサポートしていないＬＴＥネットワークに接続されている間に回線交換方式の音声通話を受信又は開始する時には、ＵＥデバイスは、他の可能性の中でも、ＧＳＭ（グローバル・システム・フォー・モバイル・コミュニケーションズ）ＲＡＴ、又は音声通話をサポートする「１Ｘ」（符号分割多元接続２０００（ＣＤＭＡ２０００）１Ｘ）ＲＡＴを使用するような、レガシーネットワークに遷移することがある。
【０００５】
一部のＵＥデバイスは、単一の無線機を使用して複数のセルラーＲＡＴの動作をサポートする。例えば、一部のＵＥデバイスは、単一の無線機を使用して、ＬＴＥ及びＧＳＭネットワークの両方の動作をサポートする。複数のＲＡＴに対して単一の無線機を使用することで、着信音声通話又は回線交換サービスのページメッセージに対する応答など、ネットワーク間の遷移がより複雑になる。加えて、複数のＲＡＴに対して単一の無線機を使用することにより、特定の電力使用及び性能上の問題が生じる。
【０００６】
例えば、このようなシステムでは、ＵＥは、より最先端のＲＡＴを使用する第１ネットワークから、レガシーＲＡＴを使用する第２ネットワークに周期的に同調し、例えば音声通話のためのページングチャネルをリッスンすることができる。しかしながら、ＬＴＥなどのより最先端のＲＡＴからＧＳＭなどのレガシーＲＡＴへのチューンアウェイ動作は、ＬＴＥネットワークの電力消費の増加及び／又は性能の劣化を結果として生じる可能性がある。
【０００７】
従って、ＵＥデバイスが単一の無線機を使用して複数のセルラーＲＡＴの動作をサポートする場合の無線通信システムにおける性能及び消費電力の改善を提供することが望ましいことになる。
【発明の概要】
【０００８】
本明細書で説明される実施形態は、同期ビーコンの検出を実行するためのユーザ装置（ＵＥ）デバイス及び関連する方法に関する。ＵＥは、例えば、第１無線アクセス技術（ＲＡＴ）と第２のＲＡＴを同時にサポートする第１の無線機を含むことができる。ＵＥは、第１無線機上で第１のＲＡＴに従って基地局との送信を実行することができる。ＵＥは、第２のＲＡＴ上での同期ビーコンを検出するためにチューンアウェイを実行する要求を受信することができる。同期ビーコンは、連続した第１の時間期間に繰返し発生することができる。ＵＥは、連続した第１の時間期間にわたって異なる小部分における同期ビーコンの探索を繰返し実行することができる。探索は、同期ビーコンが連続した時間期間のうちの１つのそれぞれの小部分に位置付けられるまで、繰返し実行することができる。
【０００９】
本明細書に記載される実施形態は、第２のＲＡＴのために第１のＲＡＴの周波数誤り推定を使用するユーザ装置（ＵＥ）デバイス及び関連する方法に関する。ＵＥの第１の無線機は、第１無線アクセス技術（ＲＡＴ）及び第２のＲＡＴに従って動作することができる。第１の無線機は、第２のＲＡＴに従って動作する時よりも第１のＲＡＴに従って動作する時に低周波数のスリープ及びウェイクアップサイクルを有することができる。第１の無線機は、第１のＲＡＴ及び第２のＲＡＴの各々に第１クロックを使用することができ、この第１クロックは、ＵＥの発振器に基づいて動作することができる。無線機が第１のＲＡＴに従って動作している時には、複数のサイクルのスリープ及びウェイクアップの後で、ＵＥは第１クロック信号の周波数誤り推定（ＦＥＥ）を実行して周波数誤り推定に基づいて第１クロックを調整することができる。ＦＥＥを実行し第１クロックを調整する第１のＲＡＴに従って動作する無線機は、第２のＲＡＴに従って動作する時にＦＥＥを実行して第１クロックを調整する無線機の周波数を低下させるよう動作することができる。
【００１０】
この概要は、本明細書で記載される主題の態様に関して基本的な理解を提供するために、幾つかの例示的な実施形態を要約することを目的として提供されている。従って、上述の特徴は単なる実施例に過ぎず、本明細書で記載される主題の範囲又は技術的思想をどのようにも限定するものと解釈すべきではない。本明細書に記載される主題の他の特徴、態様及び利点は、以下の詳細な説明、図面、及び請求項から明らかになるであろう。
【００１１】
添付図面と共に以下の実施形態に関する詳細な説明を考察すると、本発明をより良く理解することができる。
【図面の簡単な説明】
【００１２】
【図１】１つの実施形態による例示的なユーザ装置（ＵＥ）を示す図である。
【図２】ＵＥが２つの異なるＲＡＴを使用して２つの基地局と通信する場合の例示的な無線通信システムを示す図である。
【図３】１つの実施形態による基地局を示す例示的なブロック図である。
【図４】１つの実施形態によるＵＥを示す例示的なブロック図である。
【図５Ａ】１つの実施形態によるＵＥの無線通信回路を示す例示的なブロック図である。
【図５Ｂ】１つの実施形態によるＵＥの無線通信回路を示す例示的なブロック図である。
【図６】断続的同期検出を実行するための例示的な方法を示すフローチャートである。
【図７】図６の１つの実施形態に対応する例示的なタイミング図を示す図である。
【図８】第２のＲＡＴのために第１のＲＡＴの周波数誤り推定を使用する例示的な方法を示すフローチャートである。
【発明を実施するための形態】
【００１３】
本発明は、様々な修正形態及び代替形態が可能であるが、本発明の特定の実施形態が例証として図面に示され、本明細書で詳細に説明される。しかしながら、図面及び詳細な説明は、本発明を開示される特定の形態に限定するものではなく、むしろ、添付の請求項によって定義される本発明の技術的思想及び範囲内にある全ての修正形態、均等物及び代替形態を包含するものであることを理解されたい。
【００１４】
頭文字
本開示では以下の頭文字を使用する。
３ＧＰＰ−第３世代パートナーシッププロジェクト
３ＧＰＰ２−第３世代パートナーシッププロジェクト２
ＧＳＭ−グローバル・システム・フォー・モバイル・コミュニケーションズ
ＵＭＴＳ−ユニバーサル・モバイル・テレコミュニケーションズ・システム
ＬＴＥ−ロング・ターム・エボリューション
ＲＡＴ−無線アクセス技術
ＴＸ−送信
ＲＸ−受信
【００１５】
用語
以下は、本出願で使用される用語の解説である。
【００１６】
メモリ媒体−様々な種類のメモリデバイス又は記憶デバイスの何れか。「メモリ媒体」という用語は、インストール媒体、例えば、ＣＤ−ＲＯＭ、フロッピーディスク、又はテープデバイス、ＤＲＡＭ、ＤＤＲ  ＲＡＭ、ＳＲＡＭ、ＥＤＯ  ＲＡＭ、ラムバスＲＡＭなどのコンピュータシステムメモリ又はランダムアクセスメモリ、フラッシュのような不揮発性メモリ、磁気媒体、例えば、ハードドライブ、又は光学記憶装置、レジスタ、又は他の類似の種類のメモリ要素などを含むものとする。メモリ媒体は、他の種類のメモリ並びにこれらの組み合せを含むことができる。加えて、メモリ媒体は、プログラムが実行される第１コンピュータシステムに位置付けることができ、又はインターネットのようなネットワークを通じて第１コンピュータシステムに接続する第２の異なるコンピュータシステムに位置付けることができる。後者の場合、この第２コンピュータシステムは、実行のためにプログラム命令を第１コンピュータに提供することができる。「メモリ媒体」という用語は、異なる場所、例えばネットワークを通じて接続された異なるコンピュータシステムに存在することができる２又はそれ以上のメモリ媒体を含むことができる。メモリ媒体は、１又はそれ以上のプロセッサにより実行できるプログラム命令（例えばコンピュータプログラムとして実装される）を記憶することができる。
【００１７】
キャリア媒体−上述のメモリ媒体、並びにバスのような物理的伝送媒体、ネットワーク、及び／又は電気、電磁、又はデジタル信号などの信号を運ぶ他の物理的伝送媒体。
【００１８】
プログラマブルハードウェア要素−プログラマブル相互接続を介して接続された複数のプログラマブル機能ブロックを備えた様々なハードウェアデバイスを含む。例として、ＦＰＧＡ（フィールドプログラマブルゲートアレイ）、ＰＬＤ（プログラマブル論理デバイス）、ＦＰＯＡ（フィールドプログラマブルオブジェクトアレイ）、及びＣＰＬＤ（複合ＰＬＤ）が挙げられる。プログラマブル機能ブロックは、細粒度のもの（組み合せ論理又はルックアップテーブル）から粗粒度（演算論理ユニット又はプロセッサコア）のものまで多岐にわたってことができる。プログラマブルハードウェア要素は「再構成可能論理」と呼ぶことができる。
【００１９】
コンピュータシステム−パーソナルコンピュータシステム（ＰＣ）、メインフレームコンピュータシステム、ワークステーション、ネットワーク機器、インターネット機器、携帯情報端末（ＰＤＡ）、パーソナル通信デバイス、スマートフォン、テレビシステム、グリッドコンピュータシステム、又はその他のデバイス又はデバイスの組み合せを含む、様々な種類のコンピュータ又は処理システムの何れか。一般に、用語「コンピュータシステム」は、メモリ媒体からの命令を実行する少なくとも１つのプロセッサを有する何れかのデバイス（又はデバイスの組み合せ）を包含するように広く定義することができる。
【００２０】
ユーザ装置（ＵＥ）（又は「ＵＥデバイス」）−無線通信を実行し移動式又は携帯式の様々な種類のコンピュータシステムデバイスの何れか。ＵＥデバイスの例としては、移動電話又はスマートフォン（例えば、ｉＰｈｏｎｅ（商標）、Ａｎｄｒｏｉｄ（商標）ベースの電話）、携帯式ゲームデバイス（例えば、Ｎｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ＰＤＡ、携帯式インターネットデバイス、音楽プレーヤ、データ記憶装置、他のハンドヘルドデバイス、並びに腕時計、ヘッドフォン、ペンダント、イヤフォンなどのウェアラブルデバイスが挙げられる。一般に、「ＵＥ」又は「ＵＥデバイス」という用語は、ユーザが容易に持ち運び無線通信可能な何れかの電子機器、コンピュータ、及び／又は通信デバイス（又はデバイスの組み合せ）を包含するよう広く定義することができる。
【００２１】
基地局−用語「基地局」は、通常の意味全体の外延を有するが、少なくとも、無線電話システム又は無線システムの一部として通信するのに使用される、固定位置に設置された無線通信局を含む。
【００２２】
処理要素−様々な要素又は要素の組み合せを指す。処理要素には、例えば、ＡＳＩＣ（特定用途向け集積回路）、個別のプロセッサコアの一部又は回路、プロセッサコア全体、個々のプロセッサ、フィールドプログラマブルゲートアレイ（ＦＰＧＡ）のようなプログラマブルハードウェアデバイス、及び／又は複数のプロセッサを含むシステムの大きな部分が挙げられる。
【００２３】
自動的に−処理又は動作を直接指定又は実行するユーザ入力なしで、コンピュータシステム（例えば、コンピュータシステムによって実行されるソフトウェア）又はデバイス（例えば、回路、プログラマブルハードウェア要素、ＡＳＩＣなど）によって実行される処理又は動作のことを指す。従って、「自動的に」という用語は、ユーザが動作を直接実行するために入力を提供するような、ユーザによって手動で実行又は指定される動作とは対照的である。自動手順は、ユーザにより提供される入力によって開始することができるが、「自動的に」実行される後続の動作は、ユーザによって指定されず、すなわち実行すべき各動作をユーザが指定するような「手動」では実行されない。例えば、各フィールドを選択して情報を指定する入力（例えば、情報をタイピングする、チェックボックスを選択する、無線機の選択、その他によって）を提供することによるユーザの電子的書式への記入は、コンピュータシステムがユーザ動作に応答してその書式を更新しなければならないとしても、手動での書式への記入になる。この書式は、コンピュータシステムにより自動的に記入することができ、ここではコンピュータシステム（例えば、コンピュータシステムで実行されるソフトウェア）は、書式の記入欄を分析して、その欄に対する回答を指定するどのようなユーザ入力もなしに書式に記入する。上述のように、ユーザは、書式の自動記入を呼出すことができるが、実際の書式の記入には関与しない（例えば、ユーザは、記入欄への回答を手動で指定することはなく、記入欄は自動的に完成される）。本明細書は、ユーザが行った動作に応答して自動的に実行される様々な処理の実施例を提供している。
【００２４】
図１−ユーザ装置
図１は、１つの実施形態による例示的なユーザ装置（ＵＥ）１０６を示す。用語「ＵＥ１０６」は、上記で定義した様々なデバイスの何れかとすることができる。ＵＥデバイス１０６は、様々な素材の何れかから構成することができるハウジング１２を含むことができる。ＵＥ１０６は、容量性タッチ電極を組み入れたタッチスクリーンとすることができるディスプレイ１４を有することができる。ディスプレイ１４は、様々なディスプレイ技術の何れかに基づくことができる。ＵＥ１０６のハウジング１２は、ホームボタン１６、スピーカポート１８、並びに、マイク、データポート、及び実施可能な様々な他の種類のボタン（例えば、音量ボタン、着信ボタン、その他）のような他の要素（図示せず）など、様々な要素の何れかのための開口部を包含又は含むことができる。
【００２５】
ＵＥ１０６は、複数の無線アクセス技術（ＲＡＴ）をサポートすることができる。例えば、ＵＥ１０６は、グローバル・システム・フォー・モバイル・コミュニケーションズ（ＧＳＭ）、ユニバーサル・モバイル・テレコミュニケーションズ・システム（ＵＭＴＳ）、符号分割多元接続（ＣＤＭＡ）（例えば、ＣＤＭＡ２０００  １ＸＲＴＴ又は他のＣＤＭＡ無線アクセス技術）、ロング・ターム・エボリューション（ＬＴＥ）、アドバンストＬＴＥ、及び／又は他のＲＡＴのうちの２又はそれ以上など、様々なＲＡＴの何れを使用して通信するよう構成することができる。例えば、ＵＥ１０６は、ＬＴＥ及びＧＳＭのような少なくとも２つの無線アクセス技術をサポートすることができる。必要に応じて種々の異なる又は他のＲＡＴをサポートすることができる。
【００２６】
ＵＥ１０６は、１又はそれ以上のアンテナを含むことができる。ＵＥ１０６はまた、１又はそれ以上の送信機チェーン（ＴＸチェーン）及び１又はそれ以上の受信機チェーン（ＲＸチェーン）の様々な組み合せのような、様々な無線機構成の何れかを含むことができる。例えば、ＵＥ１０６は、２又はそれ以上のＲＡＴをサポートする無線機を備えることができる。無線機は、単一のＴＸ（送信）チェーン及び単一のＲＸ（受信）チェーンを備えることができる。或いは、無線機は、例えば、同じ周波数で動作する単一のＴＸチェーンと２つのＲＸチェーンとを備えることができる。別の実施形態では、ＵＥ１０６は、２又はそれ以上の無線機、すなわち２又はそれ以上のＴＸ／ＲＸチェーン（２又はそれ以上のＴＸチェーン及び２又はそれ以上のＲＸチェーン）を備える。
【００２７】
本明細書で説明する実施形態では、ＵＥ１０６は、２又はそれ以上のＲＡＴを使用して通信する２つのアンテナを備える。例えば、ＵＥ１０６は、単一の無線機又は共有の無線機に結合された１対の携帯電話アンテナを有することができる。アンテナは、スイッチング回路及び他の無線周波数フロントエンド回路を使用して共有無線機（共有無線通信電気回路）に結合することができる。例えば、ＵＥ１０６は、送受信機又は無線機に結合された第１アンテナ、すなわち送信のため送信機チェーン（ＴＸチェーン）に結合され且つ受信のため第１受信機チェーン（ＲＸチェーン）に結合された第１アンテナを有することができる。ＵＥ１０６はまた、第２ＲＸチェーンに結合された第２アンテナを備えることができる。第１及び第２受信機チェーンは、共通局部発振器を共有することができ、これは、第１及び第２受信機チェーンの双方が同じ周波数に同調されることを意味する。第１及び第２受信機チェーンは、一次受信機チェーン（ＰＲＸ）及びダイバーシティ受信機チェーン（ＤＲＸ）と呼ぶことができる。
【００２８】
１つの実施形態において、ＰＲＸ及びＤＲＸ受信機チェーンは、ペアとして動作し、ＬＴＥ及びＧＳＭ又はＣＤＭＡ１ｘなどの１又はそれ以上の他のＲＡＴのように、２又はそれ以上のＲＡＴの間で時分割多重をする。本明細書で説明する基本的な実施形態において、ＵＥ１０６は、１つの送信機チェーンと２つの受信機チェーン（ＰＲＸ及びＤＲＸ）を備え、送信機チェーンと２つの受信機チェーン（ペアとして動作する）は、ＬＴＥとＧＳＭのような２つの（又はそれ以上の）ＲＡＴの間で時分割多重を行う。
【００２９】
各アンテナは、６００ＭＨｚから３ＧＨｚのような広範囲の周波数を受信することができる。従って、例えば、ＰＲＸ及びＤＲＸ受信機チェーンの局部発振器は、ＬＴＥ周波数帯域のような特定の周波数に同調することができ、（ＰＲＸ受信機及びＤＲＸ受信機が同じ局部発振器を使用する理由から）同じ周波数で、ＰＲＸ受信機チェーンがアンテナ１からサンプルを受信し、ＤＲＸ受信機チェーンがアンテナ２からサンプルを受信する。ＵＥ１０６における無線電気回路は、ＵＥ１０６の要求される動作モードに応じて、リアルタイムで構成することができる。本明細書で説明する例示的な実施形態において、ＵＥ１０６は、ＬＴＥ及びＧＳＭ無線アクセス技術をサポートするよう構成される。
【００３０】
図２−通信システム
図２は、例示的な（及び簡易的な）無線通信システムを示す。図２のシステムは、実施可能なシステムの１つの実施例に過ぎず、実施形態は、必要に応じて様々なシステムの何れかにおいて実施できる点に留意されたい。
【００３１】
図示のように、例示的な無線通信システムは、ＵＥ１０６として表した１又はそれ以上のユーザ装置（ＵＥ）デバイスと伝送媒体を通じて通信する基地局１０２Ａ及び１０２Ｂを含む。基地局１０２は、ベーストランシーバ局（ＢＴＳ）又はセルサイトとすることができ、ＵＥ１０６との無線通信を可能にするハードウェアを含むことができる。各基地局１０２はまた、コアネットワーク１０２と通信する機能を備えることができる。例えば、基地局１０２Ａは、コアネットワーク１００Ａに結合することができ、基地局１０２Ｂは、コアネットワーク１００Ｂに結合することができる。各コアネットワークは、それぞれのセルラーサービスプロバイダによって動作することができ、又は複数のコアネットワーク１００Ａが同じセルラーサービスプロバイダによって動作することができる。各コアネットワーク１００はまた、インターネット、公衆交換電話網（ＰＳＴＮ）、及び／又は何れかの他のネットワークを含むことができる、１又はそれ以上の外部ネットワーク（外部ネットワーク１０８など）に結合することができる。従って、基地局１０２は、ＵＥデバイス１０６間及び／又はＵＥデバイス１０６とネットワーク１００Ａ、１００Ｂ、及び１０８との間の通信を可能にすることができる。
【００３２】
基地局１０２及びＵＥ１０６は、ＧＳＭ、ＵＭＴＳ（ＷＣＤＭＡ）、ＬＴＥ、ＬＴＥアドバンスト（ＬＴＥ−Ａ）、３ＧＰＰ２ＣＤＭＡ２０００（１ｘＲＴＴ、１ｘＥＶ−ＤＯ、ＨＲＰＤ、ｅＨＲＰＤなど）、ＩＥＥＥ８０２．１１（ＷＬＡＮ又はＷｉ−Ｆｉ）、ＩＥＥＥ８０２．１６（ＷｉＭＡＸ）などのような様々な無線アクセス技術（「ＲＡＴ」、無線通信技術又は電気通信規格とも呼ばれる）の何れかを使用する伝送媒体を通じて通信するよう構成することができる。
【００３３】
基地局１０２Ａ及びコアネットワーク１００Ａは、第１のＲＡＴ（ＬＴＥなど）に従って動作することができ、基地局１０２Ｂ及びコアネットワーク１００Ｂは、第２（例えば異なる）ＲＡＴ（ＧＳＭ、ＣＤＭＡ２０００又は他のレガシー又は回線交換技術など）に従って動作することができる。２つのネットワークは、必要に応じて、同じネットワークオペレータ（例えば、セルラーサービスプロバイダ又は「キャリア」）によって又は異なるネットワークオペレータによって制御することができる。加えて、２つのネットワークは、互いに独立して動作することができ（例えば、２つのネットワークが異なるＲＡＴに従って動作する場合）、又は一部を結合して又は密接に結合させて動作することができる。
【００３４】
また、図２に示した例示的なネットワーク構成に示すように、２つの異なるＲＡＴをサポートするために２つの異なるネットワークを使用することができ、複数のＲＡＴを実施する他のネットワーク構成も実施可能である点に留意されたい。１つの実施例として、基地局１０２Ａ及び１０２Ｂは、異なるＲＡＴに従って動作するが、同じコアネットワークに結合することができる。別の実施例として、異なるＲＡＴ（例えば、ＬＴＥ及びＧＳＭ、ＬＴＥ及びＣＤＭＡ２０００  １ｘＲＴＴ、及び／又はＲＡＴの何れかの他の組み合せなど）を同時にサポートすることができるマルチモード基地局を異なるセルラー通信技術をもサポートするコアネットワークに結合することができる。１つの実施形態において、ＵＥ１０６は、パケット交換技術である第１のＲＡＴ（ＬＴＥなど）及び回線交換技術である第２のＲＡＴ（ＧＳＭ又は１ｘＲＴＴなど）を使用するよう構成することができる。
【００３５】
上述のように、ＵＥ１０６は、３ＧＰＰ、３ＧＰＰ２又は何れかの要求されるセルラー規格内のものなどの複数のＲＡＴを使用して通信することができる。ＵＥ１０６は、ＷＬＡＮ、Ｂｌｕｅｔｏｏｔｈ、１又はそれ以上のグローバルナビゲーション衛星システム（ＧＮＳＳ、例えばＧＰＳ又はＧＬＯＮＡＳＳ）、１及び／又はそれ以上の移動テレビ放送規格（ＡＴＳＣ−Ｍ／Ｈ又はＤＶＢ−Ｈなど）、その他を使用して通信するよう構成することができる。ネットワーク通信規格の他の組み合せも実施可能である。
【００３６】
従って、同じ又は異なるＲＡＴ又はセルラー通信規格に従って動作する基地局１０２Ａ及び１０２Ｂ及び他の基地局は、１又はそれ以上の無線アクセス技術（ＲＡＴ）を介して広域の地理的範囲にわたってＵＥ１０６及び類似のデバイスに連続又はほぼ連続した重なり合うサービスを提供できるセルのネットワークとして提供することができる。
【００３７】
図３−基地局
図３は、基地局１０２の例示的なブロック図を示す。図３の基地局は、実施可能な基地局の一例に過ぎない点に留意されたい。図示のように、基地局１０２は、基地局１０２に対してプログラム命令を実行することができるプロセッサ５０４を含むことができる。プロセッサ５０４はまた、プロセッサ５０４からアドレスを受信してこのアドレスをメモリ（メモリ５６０及び読出し専用メモリ（ＲＯＭ）５５０など）内の場所又は他の回路又はデバイスに翻訳するよう構成することができる、メモリ管理ユニット（ＭＭＵ）５４０に結合することができる。
【００３８】
基地局１０２は、少なくとも１つのネットワークポート５７０を含むことができる。ネットワークポート５７０は、電話ネットワークに結合して、ＵＥデバイス１０６のような複数のデバイスに上述のような電話ネットワークへのアクセスを提供するよう構成することができる。
【００３９】
加えて又は代替として、ネットワークポート５７０（又は追加のネットワークポート）は、セルラーネットワーク、例えばセルラーサービスプロバイダのコアネットワークに結合するよう構成することができる。コアネットワークは、モビリティ関連サービス及び／又は他のサービスをＵＥデバイス１０６のような複数のデバイスに提供することができる。場合によっては、ネットワークポート５７０は、コアネットワークを介して電話ネットワークに結合することができる、及び／又はコアネットワークは、（例えば、セルラーサービスプロバイダによりサービスが提供される他のＵＥデバイス１０６の間で）電話ネットワークを提供することができる。
【００４０】
基地局１０２は、少なくとも１つのアンテナ５３４を含むことができる。少なくとも１つのアンテナ５３４は、無線送受信機として動作するよう構成することができ、更に、無線機５３０を介してＵＥデバイス１０６と通信するように構成することができる。アンテナ５３４は、通信チェーン５３２を介して無線機５３０と通信する。通信チェーン５３２は、受信チェーン、送信チェーン又はこの両方とすることができる。無線機５３０は、限定ではないが、ＬＴＥ、ＧＳＭ、ＷＣＤＭＡ、ＣＤＭＡ２０００、その他を含む様々なＲＡＴを介して通信するよう構成することができる。
【００４１】
基地局１０２のプロセッサ５０４は、例えば、メモリ媒体（例えば、非一時的コンピュータ可読メモリ媒体）上に記憶されたプログラム命令を実行することによって、本明細書で説明する方法の一部又は全てを実施するよう構成することができる。代替として、プロセッサ５０４は、ＦＰＧＡ（フィールドプログラマブルゲートアレイ）などのプログラマブルハードウェア要素として、又はＡＳＩＣ（特定用途向け集積回路）として、又はこれらの組み合せとして構成することができる。
【００４２】
図４−ユーザ装置（ＵＥ）
図４は、ＵＥ１０６の例示的な簡易ブロック図を示す。図示のように、ＵＥ１０６は、種々の目的の部分を含むことができるシステムオンチップ（ＳＯＣ）４００を備えることができる。ＳＯＣ４００は、ＵＥ１０６の様々な他の回路に結合することができる。例えば、ＵＥ１０６は、様々な種類のメモリ（例えば、ＮＡＮＤフラッシュ４１０を含む）、コネクタインタフェース４２０（例えば、コンピュータシステム、ドック、充電ステーション、その他に結合するため）、ディスプレイ４６０、ＬＴＥ、ＧＳＭ、その他などのためのセルラー通信回路４３０、及び短距離無線通信回路４２９（例えば、Ｂｌｕｅｔｏｏｔｈ及びＷＬＡＮ回路）を含むことができる。ＵＥ１０６は更に、１又はそれ以上のＵＩＣＣ（汎用集積回路カード）カード３１０のようなＳＩＭ（加入者識別モジュール）機能を備えた１又はそれ以上のスマートカード３１０を備えることができる。セルラー通信回路４３０は、１又はそれ以上のアンテナ、好ましくは図のような２つのアンテナ４３５及び４３６に結合することができる。短距離無線通信回路４２９は、アンテナ４３５及び４３６の一方又は双方に結合することができる（この接続は説明を簡単にするために示されていない）。
【００４３】
図示のように、ＳＯＣ４００は、ＵＥ１０６用のプログラム命令を実行することができるプロセッサ４０２と、グラフィック処理を実行してディスプレイ信号をディスプレイ４６０に提供することができるディスプレイ回路４０４とを含むことができる。プロセッサ４０２は、プロセッサ４０２からアドレスを受信してこのアドレスをメモリ（メモリ４０６、読出し専用メモリ（ＲＯＭ）４５０、ＮＡＮＤフラッシュメモリ４１０など）内の場所及び／又は、ディスプレイ回路４０４、セルラー通信回路４３０、短距離無線通信回路４２９、コネクタＩ／Ｆ４２０、及び／又はディスプレイ４６０のような他の回路又はデバイスに翻訳するよう構成することができるメモリ管理ユニット（ＭＭＵ）４４０に結合することができる。ＭＭＵ４４０は、メモリ保護及びページテーブル翻訳又はセットアップを実行するよう構成することができる。一部の実施形態において、ＭＭＵ４４０は、プロセッサ４０２の一部として含めることができる。
【００４４】
１つの実施形態において、上述のように、ＵＥ１０６は、１又はそれ以上の加入者識別モジュール（ＳＩＭ）アプリケーションを実行する及び／又はＳＩＭ機能を実装するＵＩＣＣ３１０のような少なくとも１つのスマートカード３１０を備える。少なくとも１つのスマートカード３１０は、単一のスマートカード３１０とすることができ、又はＵＥ１０６が２又はそれ以上のスマートカード３１０を備えることができる。各スマートカード３１０を組み込むことができ、例えば、ＵＥ１０６内の回路基板にはんだ結合することができ、又は各スマートカード３１０を取外し可能スマートカードとして実装することができる。従って、スマートカード３１０は、１又はそれ以上の取外し可能スマートカード（「ＳＩＭ」カードと呼ばれることもあるＵＩＣＣカードなど）とすることができ、及び／又は、スマートカード３１０は、１又はそれ以上の組み込み式カード（「ｅＳＩＭ」又は「ｅＳＩＭカード」と呼ばれることもある組み込み式ＵＩＣＣ（ｅＵＩＣＣ）など）とすることができる。一部の実施形態では（スマートカード３１０がｅＵＩＣＣを含む場合など）、スマートカード３１０の１又はそれ以上は、組み込み式ＳＩＭ（ｅＳＩＭ）機能を実装することができ、このような実施形態において、スマートカード３１０の１つが、複数のＳＩＭアプリケーションを実行することができる。スマートカード３１０の各々は、プロセッサ及びメモリのような構成要素を含むことができ、ＳＩＭ／ｅＳＩＭ機能を実行する命令をメモリ内に格納し、プロセッサにより実行することができる。１つの実施形態において、ＵＥ１０６は、必要に応じて取外し可能スマートカード及び固定／取外し不可のスマートカードの組み合せ（ｅＳＩＭ機能を実装する１又はそれ以上のｅＵＩＣＣカードなど）を備えることができる。例えば、ＵＥ１０６は、２つの組み込み式スマートカード３１０、２つの取外し可能スマートカード３１０、又は１つの組み込み式スマートカード３１０と１つの取外し可能スマートカード３１０の組み合せを備えることができる。様々な他のＳＩＭ構成も企図される。
【００４５】
上述のように、１つの実施形態において、ＵＥ１０６は、２又はそれ以上のスマートカード３１０を備え、各スマートカードがＳＩＭ機能を実装する。ＵＥ１０６に２又はそれ以上のＳＩＭスマートカード３１０を含めることで、ＵＥ１０６は、２つの異なる電話番号をサポートすることができ、ＵＥ１０６が、対応する２又はそれ以上のそれぞれのネットワークで通信可能にすることができる。例えば、第１スマートカード３１０は、ＬＴＥのような第１のＲＡＴをサポートするためのＳＩＭ機能を備えることができ、第２スマートカード３１０は、ＧＳＭのような第２のＲＡＴをサポートするためのＳＩＭ機能を備えることができる。勿論、他の実施構成及びＲＡＴも実施可能である。ＵＥ１０６が２つのスマートカード３１０を備える場合、ＵＥ１０６は、デュアルＳＩＭデュアルアクティブ（ＤＳＤＡ）機能をサポートすることができる。ＤＳＤＡ機能は、ＵＥ１０６が２つのネットワークに（２つの異なるＲＡＴを使用して）同時に同じ時間に接続できるようにする。ＤＳＤＡ機能はまた、ＵＥ１０６が何れかの電話番号で音声通話又はデータトラフィックを同時に受信できるようにする。別の実施形態において、ＵＥ１０６は、デュアルＳＩＭデュアルスタンバイ（ＤＳＤＳ）機能をサポートする。ＤＳＤＳ機能は、ＵＥ１０６において２つのスマートカード３１０の何れかを音声通話及び／又はデータ接続を待機するスタンバイ状態にできるようにする。ＤＳＤＳにおいて、通話／データが一方のＳＩＭ３１０で確立された時には、他方のＳＩＭ３１０はもはやアクティブではない。１つの実施形態において、ＤＳＤｘ機能（ＤＳＤＡ又はＤＳＤＳ機能の何れか）は、異なるキャリア及び／又はＲＡＴ用の複数のＳＩＭアプリケーションを実行する１つのスマートカード（ｅＵＩＣＣなど）によって実施することができる。
【００４６】
上述のように、ＵＥ１０６は、複数の無線アクセス技術（ＲＡＴ）を使用して無線通信するよう構成することができる。上述のように、このような事例では、セルラー通信回路（無線機）４３０は、単一のＲＡＴに従って排他的に使用されるよう構成された複数のＲＡＴ及び／又は無線構成要素間で共有される無線構成要素を含むことができる。ＵＥ１０６が少なくとも２つのアンテナを備える場合、アンテナ４３５及び４３６は、ＭＩＭＯ（マルチ入力マルチ出力）通信を実施するよう構成することができる。
【００４７】
本明細書で説明するように、ＵＥ１０６は、本明細書に説明したような２又はそれ以上のＲＡＴを使用して通信するための特徴要素を実装するハードウェア及びソフトウェア構成要素を含むことができる。ＵＥデバイス１０６のプロセッサ４０２は、例えば、メモリ媒体（例えば、非一時的コンピュータ可読メモリ媒体）上に記憶されたプログラム命令を実行することによって、本明細書で説明した特徴要素の一部又は全てを実装するよう構成することができる。代替として（又はこれに加えて）、プロセッサ４０２は、ＦＰＧＡ（フィールドプログラマブルゲートアレイ）のようなプログラマブルハードウェア要素として、又はＡＳＩＣ（特定用途向け集積回路）として構成することができる。代替として（又はこれに加えて）、ＵＥデバイス１０６のプロセッサ４０２は、他の構成要素４００、４０４、４０６、４１０、４２０、４３０、４３５、４４０、４５０、４６０の１又はそれ以上と共に、本明細書で説明した特徴要素の一部又は全てを実装するように構成することができる。
【００４８】
図５Ａ及び５Ｂ−ＵＥ送信／受信論理
図５Ａは１つの実施形態によるＵＥ１０６の一部を示す。図示のように、ＵＥ１０６は、ＵＥ１０６において制御アルゴリズムを実施するための制御コードを記憶し実行するよう構成された制御回路４２を備えることができる。制御回路４２は、記憶及び処理回路２８（例えば、マイクロプロセッサ、メモリ回路、その他）を含むことができ、また、ベースバンドプロセッサ集積回路５８を含むことができる。ベースバンドプロセッサ５８は、無線回路３４の一部を形成することができ、メモリ及び処理回路を含むことができる（すなわち、ベースバンドプロセッサ５８は、ＵＥ１０６の記憶及び処理回路の一部を形成すると考えられる）。ベースバンドプロセッサ５８は、とりわけ、ＧＳＭ論理７２及びＬＴＥ論理７４のような種々の異なるＲＡＴを処理するソフトウェア及び／又は論理を備えることができる。
【００４９】
ベースバンドプロセッサ５８は、経路４８を介してデータを記憶及び処理回路２８（例えば、マイクロプロセッサ、不揮発性メモリ、揮発性メモリ、他の制御回路、その他）に提供することができる。経路４８上のデータは、セルラー通信データ、受信信号の無線（アンテナ）性能指標、チューンアウェイ動作に関する情報、ページング動作に関する情報、その他のような、ＵＥセルラー通信及び動作に関連した未加工及び処理済みデータを含むことができる。この情報は、記憶及び処理回路２８及び／又はプロセッサ５８によって分析することができ、これに応答して、記憶及び処理回路２８（又は、必要に応じてベースバンドプロセッサ５８）が、無線回路３４を制御する制御コマンドを送出することができる。例えば、記憶及び処理回路２８が、経路５２及び経路５０上に制御コマンドを送出することができ、及び／又はベースバンドプロセッサ５８が経路４６及び経路５１上にコマンドを送出することができる。
【００５０】
無線回路３４は、無線周波数送受信機回路６０及び無線周波数フロントエンド回路６２のような無線周波数送受信機回路を含むことができる。無線周波数送受信機回路６０は、１又はそれ以上の無線周波数送受信機を含むことができる。図示の実施形態において、無線周波数送受信機回路６０は、送受信機（ＴＸ）チェーン５９、受信機（ＲＸ）チェーン６１及びＲＸチェーン６３を備える。上述のように、２つのＲＸチェーン６１及び６３は、一次ＲＸチェーン６１及びダイバーシティＲＸチェーン６３とすることができる。２つのＲＸチェーン６１及び６３は、同じ局部発振器（ＬＯ）に接続することができ、従ってＭＩＭＯ動作のために同じ周波数で共に動作することができる。上記のことから、ＴＸチェーン５９及び２つのＲＸチェーン６１及び６３は、他の必要な回路と合わせて単一の無線機とみなすことができる。当然ながら、他の実施形態も企図される。例えば、無線周波数送受信機回路６０は、１つのＴＸチェーンと１つのＲＸチェーンだけ、すなわち、単一の無線機の実施形態を備えることができる。従って、用語「無線機」とは、通常の許容される広範囲の意味を有するように定義することができ、例えば、同じＬＯに接続された単一のＴＸチェーン及び単一のＲＸチェーン、又は単一のＴＸチェーンと２つ（又はそれ以上の）ＲＸチェーンの何れかを含む、無線機において一般的に見出される回路を備える。無線機という用語は、上述した送信及び受信チェーンを包含することができ、また、無線通信の実行に関連した無線周波数回路（例えば、送信及び受信チェーン）に結合されるデジタル信号処理装置を含むことができる。１つの実施例として、送信チェーンは、増幅器、ミキサ、フィルタ、及びデジタルアナログ変換器のような構成要素を含むことができる。同様に、受信チェーンは、例えば、増幅器、ミキサ、フィルタ、及びアナログ−デジタルコンバータのような構成要素を含むことができる。上述のように、複数の受信チェーンは、ＬＯを共有することができるが、他の実施形態においては、それぞれ固有のＬＯを備えることができる。無線通信回路は、例えば、ＵＥの１又はそれ以上の無線機（送信／受信チェーン及び／又はデジタル信号処理装置）、ベースバンドプロセッサ、その他を含む、構成要素の大きなセットを包含することができる。「セルラー無線通信回路」という用語は、例えば、Ｂｌｕｅｔｏｏｔｈのような本質的にセルラーではない他のプロトコルとは対照的に、セルラー通信を実行するための様々な回路を含む。本明細書で説明した本発明の特定の実施形態は、単一の無線機（すなわち、単一のＴＸチェーン及び単一のＲＸチェーンを備えた無線機、又は２つのＲＸチェーンが同じＬＯに接続された単一のＴＸチェーン及び２つのＲＸチェーンを備えた無線機）が複数のＲＡＴをサポートする場合に性能を向上させるよう動作することができる。
【００５１】
図５Ｂに示すように、無線周波数送受信機回路６０はまた、２又はそれ以上のＴＸチェーン及び２又はそれ以上のＲＸチェーンを備えることができる。例えば、図５Ｂは、ＴＸチェーン５９及びＲＸチェーン６１を有する第１の無線機５７と、第１ＴＸチェーン６５及び第２ＴＸチェーン６７を有する第２の無線機６３とを備えた実施形態を示す。追加のＴＸ／ＲＸ受信チェーンを図５Ａの実施形態に含めた、すなわち、図示の１つのＴＸチェーン５９及び２つのＲＸチェーン６１及び６３に加えた実施形態も企図される。複数のＴＸ及びＲＸチェーンを有するこれらの実施形態において、１つの無線機だけが現在アクティブであり、例えば、第２の無線機が節電のためターンオフされている時には、本明細書で説明する本発明の特定の実施形態は、複数のＲＡＴをサポートする場合の単一のアクティブ無線の性能を向上させるように動作することができる。
【００５２】
ベースバンドプロセッサ５８は、記憶及び処理回路２８から送信されることになるデジタルデータを受信することができ、経路４６及び無線周波数送受信機回路６０を使用して対応する無線周波数信号を送信することができる。無線周波数フロントエンド６２は、無線周波数送受信機６０とアンテナ４０の間に結合することができ、無線周波数送受信機回路６０により生成された無線周波数信号をアンテナ４０に送るのに用いることができる。無線周波数フロントエンド６２は、無線周波数スイッチ、インピーダンスマッチング回路、フィルタ、及びアンテナ４０と無線周波数送受信機６０との間のインタフェースを形成するための他の回路を含むことができる。
【００５３】
アンテナ４０により受信された着信無線周波数信号は、無線周波数フロントエンド６２、経路５４及び５６のような経路、無線周波数送受信機６０における受信機回路、及び経路４６のような経路を介してベースバンドプロセッサ５８に提供することができる。経路５４は、例えば、送受信機５７に関連した信号を処理する際に用いることができ、経路５６は、送受信機６３に関連した信号を処理する際に用いることができる。ベースバンドプロセッサ５８は、受信した信号をデジタルデータに変換することができ、このデータは記憶及び処理回路２８に提供される。ベースバンドプロセッサ５８はまた、送受信機が現在同調されているチャネルの信号品質を示す情報を受信した信号から抽出することができる。例えば、ベースバンドプロセッサ５８及び／又は制御回路４２における他の回路は、受信した信号を分析して、ビット誤り率測定値、着信無線信号に関連した電力量の測定値、信号強度（ＲＳＳＩ）情報、受信信号コードパワー（ＲＳＣＰ）情報、参照シンボル受信電力（ＲＳＲＰ）情報、信号対妨害比（ＳＩＮＲ）情報、信号対雑音比（ＳＮＲ）情報、Ｅｃ／Ｉｏ又はＥｃ／Ｎｏデータのような信号品質データに基づくチャネル品質測定値、その他などの様々な測定値を生成することができる。
【００５４】
無線周波数フロントエンド６２は、スイッチング回路を含むことができる。このスイッチング回路は、制御回路４２から受信した制御信号（例えば、記憶及び処理回路２８から経路５０を介した制御信号及び／又はベースバンドプロセッサ５８から経路５１を介した制御信号）によって構成することができる。スイッチング回路は、ＴＸ及びＲＸチェーンをアンテナ４０Ａ及び４０Ｂに接続するのに使用されるスイッチ（スイッチ回路）を含むことができる。無線周波数送受信機回路６０は、記憶及び処理回路から経路５２を通じて受信された制御信号及び／又はベースバンドプロセッサ５８から経路４６を通じて受信された制御信号によって構成することができる。
【００５５】
使用されるアンテナの数は、ＵＥ１０６の動作モードに応じて変えることができる。例えば、図５Ａに示すように、通常のＬＴＥ動作において、アンテナ４０Ａ及び４０Ｂは、それぞれの受信機６１及び６３と共に使用して、ＭＩＭＯ動作などのための受信ダイバーシティ方式を実施することができる。この種類の構成によって、ベースバンドプロセッサ５８を使用して２つのＬＴＥデータストリームを同時に受信及び処理することができる。着信ＧＳＭページ用のＧＳＭページングチャネルをモニタすることが要求される場合、ＧＳＭページングチャネル信号を受信する際にアンテナの一方又は双方を一時的に使用することができる。
【００５６】
制御回路４２を使用して、１つよりも多い無線アクセス技術を処理するソフトウェアを実行することができる。例えば、ベースバンドプロセッサ５８は、ＧＳＭプロトコルスタック７２及びＬＴＥプロトコルスタック７４のような複数のプロトコルスタックを実施するためのメモリ及び制御回路を含むことができる。従って、プロトコルスタック７２は、ＧＳＭ（一例として）のような第１無線アクセス技術に関連付けることができ、プロトコルスタック７４は、ＬＴＥ（一例として）のような第２無線アクセス技術に関連付けることができる。動作中、ＵＥ１０６は、ＧＳＭプロトコルスタック７２を使用してＧＳＭ機能を処理することができ、ＬＴＥプロトコルスタック７４を使用してＬＴＥ機能を処理することができる。必要に応じて、ＵＥ１０６において追加のプロトコルスタック、追加の送受信機、追加のアンテナ４０、及び他の追加のハードウェア及び／又はソフトウェアを使用することができる。図５Ａ及び５Ｂの構成は単なる例証に過ぎない。１つの実施形態において、プロトコルスタックの一方又は双方は、以下のフローチャートに記載される方法を実施するよう構成することができる。
【００５７】
図５Ａ（又は５Ｂ）の１つの実施形態において、ＬＴＥ及びＧＳＭトラフィックの双方をサポートするためにベースバンドプロセッサ５８及び無線送受信機回路６０が使用される構成を使用して、図５Ａ（又は５Ｂ）の無線回路を実装することにより、ＵＥ１０６のコスト及び複雑さを最小限にすることができる。
【００５８】
ＧＳＭ無線アクセス技術は、一般に、音声トラフィックを伝送するのに使用することができ、ＬＴＥ無線アクセス技術は、一般に、データトラフィックを伝送するのに使用することができる。ＧＳＭ音声通話がＬＴＥデータトラフィックに起因して確実に中断されないようにするために、ＧＳＭ動作は、ＬＴＥ動作よりも優先権させることができる。着信ページング信号用のＧＳＭページングチャネルを監視するなどの動作がＬＴＥ動作を不必要に中断しないように確実にするために、制御回路４２は、可能であれば、無線資源がＬＴＥ機能とＧＳＭ機能の間で共有されるようにＵＥ１０６の無線回路を構成することができる。
【００５９】
ユーザが着信ＧＳＭ呼出しを行う時には、ＧＳＭネットワークは、基地局１０２を使用してＧＳＭページングチャネル上でページング信号（ページと呼ばれることもある）をＵＥ１０６に送信することができる。ＵＥ１０６が、着信ページを検出すると、ＵＥ１０６は、着信ＧＳＭ呼出しをセットアップして受信するために好適な動作（呼出し設定手順など）を行うことができる。ページは、通常、ネットワークによって固定間隔で複数回送信され、ＵＥ１０６のようなデバイスがページを成功裏に受信する複数の機会が持てるようにする。
【００６０】
適正なＧＳＭページの受信には、ＵＥ１０６の無線回路が、チューンアウェイ動作と呼ばれるＧＳＭページングチャネルに周期的に同調されることが必要とすることができる。送受信機回路６０がＧＳＭページングチャネルに同調できなかった場合、又はベースバンドプロセッサ５８におけるＧＳＭプロトコルスタック７２が着信ページのページングチャネルを監視できなかった場合には、ＧＳＭページは得られないことになる。他方、ＧＳＭページングチャネルの過剰な監視は、アクティブＬＴＥデータセッションに悪影響を与える可能性がある。本発明の実施形態は、以下に説明するように、チューンアウェイ動作を処理するための改良された方法を含むことができる。
【００６１】
幾つかの実施形態において、ＵＥ１０６の電力を節約するために、ＧＳＭ及びＬＴＥプロトコルスタック７２及び７４がアイドルモード動作をサポートすることができる。また、プロトコルスタック７２及び７４の一方又は双方は、不連続受信（ＤＲＸ）モード及び／又は接続不連続受信（ＣＤＲＸ）モードをサポートすることができる。ＤＲＸモードとは、受信されるべきデータ（又は音声）が存在しない時にＵＥ回路の少なくとも一部分の電源を切るモードのことを指す。ＵＥ１０６は、ＤＲＸ及びＣＲＤＸモードで基地局１０２と同期し、指定時間又は間隔でウェイクアップしてネットワークをリッスンする。ＤＲＸは、ＵＭＴＳ、ＬＴＥ（ロング・ターム・エボリューション）、ＷｉＭＡＸ、その他のような複数の無線規格に含まれる。「アイドルモード」、「ＤＲＸ」及び「ＣＤＲＸ」という用語は、少なくとも通常の意味の最大限の範囲を明示的に含むものとし、将来の規格の類似の種類のモードを包含するものとする。
【００６２】
同期ビーコン検出
上述のように、ＵＥは、単一の無線機（例えば、単一の送信チェーン及び単一の受信チェーンを有するが、単一の送信チェーン及び二重の受信チェーンも想定される）を使用して、２つの異なるＲＡＴを使用した通信を行うことができる。例えば、ＵＥは、単一の無線機を使用して、第１のＲＡＴを使用した通信を行うことができ、また、ページ復号、測定、同期、その他のような第２のＲＡＴに対する様々な動作を実行するために周期的にチューンアウェイを行うことができる。この実施例では、ＵＥは、一度に１つのＲＡＴを使用してしか通信できないが、同じ無線機を使用して双方のＲＡＴへの接続を維持するものとみなすことができる。無線機は、ＵＥのための単一のセルラー無線機にすることができ、又は複数のセルラー無線機の１つとすることができる点に留意されたい。複数の無線機の実施形態において、セルラー無線の１つは、第１のＲＡＴ及び第２のＲＡＴの時間共有のために使用することができる。加えて、ＵＥは、必要に応じて、デュアルＳＩＭデュアルアクティブ（ＤＳＤＡ）及び／又はデュアルＳＩＭデュアルスタンバイ（ＤＳＤＳ）を実施することができる。
【００６３】
１つの実施形態において、第１のＲＡＴはＬＴＥとすることができ、第２のＲＡＴはＧＳＭとすることができるが、ＲＡＴの他の組み合せも想起される。場合によっては、第２のＲＡＴのための（例えば、第２のＲＡＴの現在の基地局の近傍基地局のための）同期を実行するために、周期的にチューンアウェイすることは、一般的なことである。以下では、第１のＲＡＴをＬＴＥと記載し、第２のＲＡＴをＧＳＭと記載することができるが、これらの記載の何れも必要に応じて他のＲＡＴに適用することができる。
【００６４】
ＣＤＭＡ２０００  １ｘと比べて、ＧＳＭのＳＲＬＴＥは、大きく相違する可能性がある。例えば、ＧＳＭチューンアウェイ（例えば、ページ復号のため）は、５．２１秒当たりに１回である１ｘチューンアウェイよりも１０倍高周波数（例えば、４７０ｍｓ当たり少なくとも１回）とすることができる。加えて、多くの場合、各ＧＳＭチューンアウェイの持続時間は非常に短く、例えば１０−２０ミリ秒とすることができ、多くの場合、１ｘチューンアウェイの持続時間は９０−１００ミリ秒とすることができる。
【００６５】
しかしながら、ＧＳＭのための同期手順に長い時間が必要となる状況が存在する場合があり、これにより、ＬＴＥネットワークがディープフェージング事象としてＧＳＭへの無線機のチューンアウェイが中断されて、符号化及び変調方式及び／又は資源ブロック割り当てを低減する可能性があるので、ＬＴＥスループットが低下する恐れがある。１つの実施例として、ＧＳＭカバレージが十分ではないエリア、又は多くのＧＳＭセルが（例えば一般的な都市エリアに）クラスタ化されているエリアにおいて、多くの新しい又は失われたＧＳＭセルを探索するためのＧＳＭトーン検出は、完了させるのに長い時間を要する可能性がある。例えば、ＧＳＭセルを検出するために、ＵＥは、少なくとも１０ＧＳＭフレーム（総計４６ｍｓ）の無線周波数信号を連続して受信して、その１０フレームの中のＦＣＣＨスロット又はバーストの位置を探索する必要がある。加えて、通常は、ＦＣＣＨスロットの検出ミスを防ぐために、複数（例えば２又は３）の１０ＧＳＭフレームが必要である。しかしながら、上述のように、この時間期間でのＬＴＥからのチューンアウェイは、ＬＴＥとＧＳＭ双方のために無線機を使用する際にＬＴＥの重大なスループット問題が生じる可能性がある。例えば、喪失ＬＴＥフレームの大きなクラスタが連続して又は短い時間期間にわたって発生する場合、ＬＴＥネットワークは、認可／ＭＣＳ割り当てを急激に調整する可能性がある。
【００６６】
従って、これらの問題の一部は、ＧＳＭトーン検出を長い時間期間にわたって長いチューンアウェイから複数の短いチューンアウェイに分散することによって、解決することができる。例えば、トーン検出を分散することによって、ＬＴＥネットワークは、連続ディープフェージングよりも長い時間にわたって複数の迅速フェージングを観測することができ、より低い平均ブロック誤り率（ＢＬＥＲ）を結果として生じることができる。この低いＢＬＥＲは、ＬＴＥの迅速認可又はＭＣＳ降下の発生を防ぐことができる。
【００６７】
１つの実施形態において、低いＧＳＭ受信信号強度インジケータ（ＲＳＳＩ）（例えば、−９０ｄＢｍより低いかこれに等しい）に対して、第１の１０ＧＳＭフレーム期間を連続してサンプリングすることができ、このサンプルに関してＦＣＣＨトーン検出を実行し、次いで、第２及び第３番目の１０ＧＳＭフレーム期間において再確認することができる。しかしながら、確認するために、ＵＥは、５つの１０ＧＳＭフレーム期間のセット内の各１０ＧＳＭフレーム期間から異なる１０ｍｓ長サンプルを読み取ることができる。次いで、１０ミリ秒サンプルのこれらの４つの要素を結合して、１つの５０ミリ秒サンプルを形成することができ、これは、例えば単一の１０ＧＳＭ期間としてトーン検出のために使用することができる。
【００６８】
より高いＧＳＭ  ＲＳＳＩでは、必要に応じて、第１の１０ＧＳＭフレーム期間サンプルを複数の１０ＧＳＭフレーム期間にわたって読み取ることができる。
【００６９】
加えて、トーン検出をパイプラインすることができる。例えば、上記から１０ｍｓサンプルに続いて、各利用可能な受信１０ｍｓサンプルに対してトーン検出を実行することができ、次の１０ミリ秒サンプルが受信又はサンプルされる。従って、全てのサンプルが収集されると、１０ミリ秒サンプルに対して既に実行されたトーン検出の迅速確認として最終トーン検出を使用することができる。
【００７０】
これらの実施形態に従って、この状況に対するＬＴＥスループットの劇的な改良が起こり、例えば、４０〜５０％から２０％を下回るように劣化を低減することができる。
【００７１】
図６−断続的な同期ビーコン検出
図６は、断続的な同期ビーコン検出を実行するための方法を示すフローチャートである。この方法は、第１のＲＡＴ及び第２のＲＡＴ（例えば、ＬＴＥ及びＧＳＭ、但し、ＲＡＴの他の組み合せも想起される）の双方に第１の無線機を使用するＵＥデバイス（ＵＥ１０６など）によって実行することができる。図６に示した方法は、他のデバイスの中でも、上記の図に示されたシステム又はデバイスの何れかと共に使用することができる。様々な実施形態において、図示された方法の要素の一部は、同時に又は図示とは異なる順序で実行することができ、或いは、省くことができる。また、必要に応じて追加の方法要素も実行できる点に留意されたい。本方法は以下のように実行することができる。
【００７２】
図示のように、６０２において、ＵＥは、第１の無線機を用いる第１のＲＡＴを使用して通信することができる。例えば、ＵＥは、第１のＲＡＴを使用してデータ通信を実行することができ、又はより一般的には、現在は第１の無線機は第１のＲＡＴ通信のために使用することができる。
【００７３】
６０４において、ＵＥは、例えば第２のＲＡＴの近傍の基地局との同期を実行する要求を受信することができる。同期を実行するために、ＵＥは、同期ビーコン検出（例えば、ＧＳＭのＦＣＣＨバーストを検出するようなトーン検出）を実行することができる。上述のように、同期ビーコンは、周期的に繰返し送信することができる。例えば、同期ビーコンは、各繰り返される時間長又は時間期間（ＧＳＭの実施形態では１０ＧＳＭフレーム毎など、図６に関して「第１の時間期間」又は「第１の時間長」と呼ばれる）の間に一度送信することができる。
【００７４】
６０６において、ＵＥは、連続送信にわたって第１の時間期間の異なる小部分において同期ビーコンの探索を繰返し実行することができる。より具体的には、ＵＥは、第１の時間期間にわたって同期ビーコンを探索することができるが、第１の時間期間の単一のインスタンスを探索することが必要である訳ではない（換言すると、探索は、複数の第１の時間期間にわたって行うことができる）。特定の実施例として、ＵＥは、時間期間の複数のインスタンスにわたって時間期間全体が探索されるまで、時間期間の第１インスタンスにおける第１の時間期間の第１のｎフレーム、時間期間の第２インスタンスにおける第２のｎフレームなどを探索することができる。
【００７５】
図７は、同期ビーコンの連続的検出と断続的検出の違いを示す例示的なタイミング図を示す。詳細には、７００は同期ビーコンの連続的検出を示す。この事例では、ＵＥは、第１の１０フレームにわたって同期ビーコン検出を実行することができる（例えば、ＧＳＭの実施形態に対応する）。図示のように、ＦＣＣＨビーコンは、１０フレーム毎（例えば、上述した例示的な第１の時間期間）に１０フレームのうちの第６フレームと第８フレームとの間に送信することができる。対照的に、７５０は例示的な断続的検出を示す。この実施例では、ＵＥは、各１０フレームのうちの１つのフレームだけにサンプリング又は測定を実行して、これらのサンプルを互いに結合して同期ビーコン検出を実行することができる。この実施例では、ＵＥは、第１の１０フレームの第１フレーム、第２の１０フレームの第２フレーム、第３の１０フレームの第３フレーム、その他をサンプリングして、「つなぎ合わせの」１０フレーム期間を生成するようにし、これを同期ビーコン検出（この場合、ＦＣＣＨビーコンの検出）に使用することができる。別の実施例として、図７に示した単一フレームの代わりに、複数のフレームにわたることができる１０ミリ秒サンプリングを実行することができる。一般に、要求されるあらゆるサンプリングを使用することができ、図７に記載し例証したサンプリングは例示的なものに過ぎない。
【００７６】
１つの実施形態において、同期ビーコン検出はパイプラインすることができ、例えば、第１の時間期間の一部分のサンプリング及び次のサンプルを実行する前に当該サンプルの同期ビーコン検出の実行を含むことができる（但し、２サンプル前に受信されたサンプルに対する検出の実行のような他の遅延もあり得る）。この実施形態において、第１の時間期間全体をサンプルする必要もなく、同期ビーコンを検出することが可能になる。１つの実施形態において、同期ビーコンが検出されると、探索を終了することができる。
【００７７】
幾つかの実施形態において、同期ビーコンが検出されると、同期ビーコンの確認を実行することができる。例えば、第１の時間期間後に１回又はそれ以上の回数で同期ビーコンの位置をサンプリングし、同期ビーコンを確認することができる。代替として、又はこれに加えて、第１の時間期間の複数のインスタンス（例えば、ＧＳＭにおける１０フレームなどの１つよりも多い第１の時間期間の時間量を結合する）にわたって探索を簡単に確認又は実行することができる。
【００７８】
１つの実施形態において、本方法は、連続的及び断続的検出の双方を使用することができる。例えば、初期連続的検出を実行した後、同期ビーコンの確認のための断続的検出を実行することができる。特定の実施例として、ＧＳＭでは、１０フレームを最初に連続してサンプリングして、その後、サンプルした１０フレーム内の同期ビーコンを検出することができる。この検出後、同期ビーコンの確認は、２つの追加の１０フレーム期間において断続的に（例えば、各サンプルされた１０フレーム期間が複数の１０フレーム期間から形成された場合）実行することができる。代替として、又はこれに加えて、ＵＥは、１０フレーム期間全体にわたって断続的検出を実行するのではなく、検出した同期ビーコンの位置に対応する１０フレーム期間の特定のフレームをサンプリングすることにより、確認を簡単に実行することができる。
【００７９】
１つの実施形態において、この連続的検出及びそれに続く断続的検出は、第２のＲＡＴのチャネル品質インジケータ（例えば、他のインジケータの中でもＲＳＳＩのような信号品質インジケータ）が閾値を下回る時に実行することができる。チャネル品質インジケータが閾値を上回る時には、連続的検出を使用することなく、例えば、初期検出及び確認の双方において全体にわたって断続的検出を実行することができる。１つの実施形態において、閾値は、約−９０ｄＢｍのＲＳＳＩ値とすることができる。例えば、この近似値は、必要に応じて＋／−１０ｄＢｍから−９０ｄＢｍに及ぶことができる。
【００８０】
断続的検出の間、ＵＥは、第１のＲＡＴのための第１の無線機（例えばデータ通信のため）の使用と、第２のＲＡＴのための同期ビーコン探索（及びページ検出のような潜在的な他のアクティビティ）を実行するための第１の無線機の使用とを交互にすることができる。結果として、ＵＥは、第２のＲＡＴにおいて連続同期ビーコン検出を実行するための長期チューンアウェイに起因した第１のＲＡＴのディープフェージング状態を防ぐことができ、これにより第１のＲＡＴの大きなスループット損失を避けることができる。
【００８１】
第２のＲＡＴにおける第１のＲＡＴの周波数誤り推定値の使用
上述のように、ＵＥは、単一の無線機（例えば、単一の送信チェーン及び単一の受信チェーンを有する）を使用して、２つの異なるＲＡＴを使用した通信を行うことができる。例えば、ＵＥは、第１の無線機を使って第１のＲＡＴを使用した通信をすることができ、ページ復号、測定、同期、その他のような第２のＲＡＴのための様々な動作を実行するために周期的にチューンアウェイすることができる。この実施例では、ＵＥは、一度に１つのＲＡＴを使用する通信しかできないが、同じ無線機を使用して双方のＲＡＴへの接続を維持するものとみなすことができる。無線機は、ＵＥのための単一のセルラー無線機とすることができ、又は複数のセルラー無線機のうちの１つとすることができる点に留意されたい。複数の無線機の実施形態において、セルラー無線の１つは、第１のＲＡＴと第２のＲＡＴのタイムシェアリングとして使用することができる。加えて、ＵＥは、必要に応じてデュアルＳＩＭデュアルアクティブ（ＤＳＤＡ）及び／又はデュアルＳＩＭデュアルスタンバイ（ＤＳＤＳ）を実装することができる。
【００８２】
１つの実施形態において、第１のＲＡＴはＬＴＥとすることができ、第２のＲＡＴはＧＳＭとすることができるが、ＲＡＴの他の組み合せも想起される。場合によっては、第２のＲＡＴの（例えば、第２のＲＡＴの現在の基地局の近傍の基地局の）同期を実行するために周期的にチューンアウェイすることは一般的とすることができる。
【００８３】
以下では、第１のＲＡＴはＬＴＥとして記載され、第２のＲＡＴはＧＳＭとして記載することができるが、必要に応じて、これらの説明の何れかを他のＲＡＴに適用してもよい。ＬＴＥ  ＤＲＸサイクルは、約１．２８秒とすることができる。加えて、ＧＳＭ  ＤＲＸサイクルは、４７０ミリ秒毎に発生させることができる。ＧＳＭ周波数誤り推定（ＦＥＥ）は一般に、２００〜５００ｍｓを要し、ＧＳＭ  ＤＲＸスリープ及びウェイクアップの複数のサイクル後に実行することができる。ＦＥＥは一般に、ＧＳＭのスリープ時に使用される水晶発振器（例えば、ＧＳＭに関連したソフトウェアスタック、ＧＳＭに関連した無線周波数回路、及び／又はＵＥの他の部分）からの周波数誤りが存在する理由から実行される。ウェイクアップ時、周波数誤りが閾値よりも高く訂正されていない場合、ＧＳＭ  ＴＸ／ＲＸは、間違った周波数にバイアスされることになり、ネットワークがＵＥの送信を復号することができない場合がある。同様に、ＵＥは、ネットワークの応答を復号することができない可能性がある。ＧＳＭ  ＦＥＥが頻繁ではない（例えば、通常は１０〜５０ｓ当たりに一度行われる）としても、一度行われると、ＧＳＭ  ＦＥＥは、ＧＳＭ−ＳＲＬＴＥ又はＤＳＤＳ／ＤＳＤＡのＬＴＥ性能に大きな影響を与える可能性がある。詳細には、ＬＴＥからのこの極めて長いチューンアウェイが、ＬＴＥスループット性能を劇的に低下させる可能性がある。
【００８４】
従って、ＧＳＭ及びＬＴＥの双方が同じ無線を介して使用される場合には、特にＬＴＥに対してＧＳＭ  ＦＥＥが実行される回数を低減することで、この性能を改善することができる。以下の実施形態は、ＧＳＭ  ＦＥＥの周波数又は発生を低減するのに有益とすることができる。
【００８５】
ＧＳＭによるＳＲＬＴＥにおいて、ＬＴＥ及びＧＳＭは同じ無線周波数回路（又は無線周波数回路の少なくとも一部分）を時分割するので、ＬＴＥ及びＧＳＭはまた、スリープの間に同じ水晶発振器を使用することができる。加えて、ＬＴＥはまた、ＬＴＥスリープ及びウェイクアップの複数サイクル後にＦＥＥを実行する。従って、ＬＴＥがアクティブである時には、ＧＳＭがスリープ及びウェイクアップの複数のサイクルを有していても、ＧＳＭがＦＥＥ自体を行う必要はなく、代替として、ＧＳＭは、ＬＴＥのＦＥＥ結果を直接使用することができる（又は、ＬＴＥからのＦＥＥの効果はまた、ＧＳＭにＦＥＥを実行する必要性に対処することができる）。例えば、これらの実施形態において、ＦＥＥがＬＴＥに対して実行されると、ＬＴＥ  ＦＥＥはＧＳＭ  ＦＥＥに使用できるので、ＧＳＭ  ＦＥＥの実行に関連するタイマをリセットすることができる。
【００８６】
しかしながら、ＬＴＥ（例えば、ＬＴＥに関連したソフトウェアスタック、ＬＴＥに関連した無線周波数回路、及び／又はＵＥの他の部分）がスリープしている場合、及びＧＳＭが最後のＦＥＥ及びスリープ以降にＦＥＥを実行しなかった限度時間に達しているＧＳＭ  ＦＥＥタイマが終了した場合には、ＧＳＭがＦＥＥを実行することができる。
【００８７】
上記の実施形態は、ＧＳＭ  ＦＥＥの発生をＬＴＥがスリープしている時に限定することができ、この結果、ＬＴＥスループット性能に対するＦＥＥの長期チューンアウェイの影響をほとんど排除することができる。従って、上記の実施形態は、ＬＴＥがＣＤＲＸスリープからウェイクアップした時のアクセス遅延にまで劣化を抑制することができる。
【００８８】
図８−第２のＲＡＴのための第１のＲＡＴの周波数誤り推定値の使用
図８は、第２のＲＡＴのための第１のＲＡＴの周波数誤り推定値を使用する方法を示すフローチャートである。図８の方法は、第１のＲＡＴ及び第２のＲＡＴ（例えば、ＬＴＥ及びＧＳＭであるが、ＲＡＴの他の組み合せも想起される）の双方に対して第１の無線機を使用するＵＥデバイス（ＵＥ１０６など）によって実行することができる。図８に示す方法は、他のデバイスの中でも、上記の図に示したシステム又は他のデバイスの何れかと共に使用することができる。様々な実施形態において、図示の方法要素の一部は、並行して実行し、又は図示以外の異なる順序で実行し、又は省略することができる。また、必要に応じて追加の方法要素を実行できる点に留意されたい。本方法は以下のように実行することができる。
【００８９】
８０２において、ＵＥは、第１のＲＡＴに従って第１の無線機を動作することができる。例えば、第１のＲＡＴに関連するソフトウェアスタックは、第１のＲＡＴを使用した通信を実行する際に第１の無線機を周期的に使用することができる。第１のＲＡＴが動作を実行しているか又はスリープ状態であるという言及は、この第１のＲＡＴソフトウェアスタックがこの動作を実行するために実施されること、又は休止状態であることを意味することができる。
【００９０】
８０４において、ＵＥは、第２のＲＡＴに従って第１の無線機を動作することができる。例えば、上記と同様に、第２のＲＡＴに関連するソフトウェアスタックは、第２のＲＡＴを使用した通信を実行する際に第１の無線機を周期的に使用することができる。第１のＲＡＴが動作を実行しているか又はスリープ状態であるという言及は、この第２ソフトウェアスタックがこの動作を実行するために実施されること、又は休止状態であることを意味することができる。
【００９１】
第１のＲＡＴに従って動作している間、第１の無線機は、より高い周波数（又は周期性）のスリープ及びウェイクアップサイクルを有する可能性がある第２のＲＡＴに従って動作する場合よりも低い周波数（又は周期性）のスリープ及びウェイクアップサイクルを有することができる。例えば、第１のＲＡＴは、１．２８秒持続するサイクル（例えば、ＤＲＸサイクル）を有することができ、第２のＲＡＴは、４７０ミリ秒持続するサイクル（例えば、ＤＲＸサイクル）を有することができる。加えて、第１の無線機は、第１のＲＡＴ及び第２のＲＡＴの双方に従って動作する第１クロックを使用することができる。例えば、第１クロックは、第１のＲＡＴのスリープサイクルの間に使用することができ、また、第２のＲＡＴのスリープサイクルの間にも使用することができる。第１クロックは、ＵＥの発振器（水晶発振器など）に基づいて動作することができる。
【００９２】
第１のＲＡＴ及び第２のＲＡＴ双方に対して周期的に周波数誤り推定（ＦＥＥ）を実行し、例えば、スリープからウェイクした時に、第１のＲＡＴ及び／又は第２のＲＡＴを使用して通信するために第１クロックが適切な許容範囲内に確実にあるようにすることができる。しかしながら、第１クロックは第１のＲＡＴと第２のＲＡＴの間で共有されているので、双方のＲＡＴに対してＦＥＥを実行する必要もなく、ＲＡＴの一方のＦＥＥの結果を他方のＲＡＴに使用することができる。
【００９３】
従って、第１の無線機が、第１のＲＡＴ及び第２のＲＡＴの双方に対して使用されている場合には、第１のＲＡＴのＦＥＥにより、第２のＲＡＴは、第２のＲＡＴのＦＥＥの実行をスキップできるようになる。例えば、第１のＲＡＴをＬＴＥとすることができ、第２のＲＡＴをＧＳＭとすることができる。１つの実施形態において、ＦＥＥは、動作中に第１のＲＡＴ（この例ではＬＴＥ）に対して実行することができる（例えば、このＦＥＥは、第１のＲＡＴのＦＥＥタイマに従ってなど、周期的に実行することができる）。例えば、第１のＲＡＴについてＦＥＥは、第１のＲＡＴに関連する複数のスリープ及びウェイクアップサイクル、例えば所定サイクル数の後に実行することができる。
【００９４】
この期間の間、第１の無線機は、第１のＲＡＴと第２のＲＡＴの双方に使用することができる。第２のＲＡＴはまた、例えばその固有のＦＥＥタイマに従って第２のＲＡＴに対するＦＥＥを周期的に実行するよう構成することができる。例えば、第２のＲＡＴに対してＦＥＥを何時実行できるかを示すためにタイマを使用することができる。しかしながら、第１のＲＡＴに対するＦＥＥが実行される場合には、例えばＦＥＥの結果が第１クロックを調整でき、又は必要に応じて第１クロック又は別のクロックを調整するために第２のＲＡＴによって使用することができるので、もはや第２のＲＡＴに対するＦＥＥを実行する必要性は必須ではない。例えば、１つの実施形態において、第１のＲＡＴのＦＥＥに基づいて第１クロックを調整することで、第２のＲＡＴに対するＦＥＥ及び第１クロック調整を実行する必要性を解消することができる。１つの実施形態において、第２のＲＡＴに対するタイマは、第１のＲＡＴに対するＦＥＥを実行する時に単にリセットすることができる。代替として、第１のＲＡＴのＦＥＥから求められた何らかの測定値又は調整値は、第２のＲＡＴに対して新しいＦＥＥを実行する必要もなく、第２のＲＡＴの測定値又は調整値として使用することができる。更に、第１及び第２のＲＡＴに別々のクロックが使用される場合、例えば、これらが同じ発振器に基づく場合には、第１のＲＡＴのＦＥＥを使用して、第２のＲＡＴのクロックを調整することができる。従って、この実施形態において、第１のＲＡＴのＦＥＥの結果は、第２のＲＡＴのために別のＦＥＥを実行することなく、第２のＲＡＴに使用することができ、これにより、第２のＲＡＴのＦＥＥを実行する目的で第１のＲＡＴから第２のＲＡＴへの第１の無線機のチューンアウェイを有意に低減又は排除することができ、第１のＲＡＴのスループットの低下を低減することができる。
【００９５】
従って、８０６において、第１のＲＡＴに対するＦＥＥを実行することができ、これに応じて、上述のように第２のＲＡＴに対するＦＥＥを排除することができる。
【００９６】
その後、８０８において、第２のＲＡＴに対するＦＥＥを実行することができる。１つの実施形態において、第２のＲＡＴに対するＦＥＥは、第１のＲＡＴがスリープ状態である状況、又は第１のＲＡＴが最近使用されておらず、第１のＲＡＴに対するＦＥＥが十分に新しくない状況で実行することができる。例えば、第１のＲＡＴがスリープ状態であり第２のＲＡＴに対するＦＥＥを実行するタイマが切れている場合には、第２のＲＡＴに対するＦＥＥを実行することができる。
【００９７】
例示的な実施形態
以下の番号の付いた段落は、本開示の例示的な実施形態を記載している。
【００９８】
１．ＵＥデバイスを動作させる方法であって、本方法は、第１の無線機アクセス技術（ＲＡＴ）及び第２のＲＡＴに従って動作するよう構成可能な第１の無線機を備えるユーザ装置デバイス（ＵＥ）において、第１の無線機上で第１のＲＡＴに従って基地局との通信を実行するステップと、第２のＲＡＴに対して連続した第１の時間期間に繰返し発生する同期ビーコンを検出するためにチューンアウェイを実行する要求を受信するステップと、要求に応答して、連続した第１の時間期間にわたって該第１の時間期間の異なる小部分で同期ビーコンの探索を繰返し実行するステップと、を含み、当該探索は、同期ビーコンが連続した期間のうちの１つのそれぞれの小部分に位置付けられるまで繰返し実行される。
【００９９】
２．第２のＲＡＴのチャネル品質を決定するステップと、チャネル品質を閾値と比較するステップとを更に含む段落１の方法であって、同期ビーコンの探索を繰返し実行する上記ステップが、チャネル品質を閾値の比較に基づいて実行される。
【０１００】
３．閾値が約−９０ｄＢｍである、段落２の方法。
【０１０１】
４．チャネル品質を決定するステップが、第２のＲＡＴの受信信号強度インジケータ（ＲＳＳＩ）を決定するステップを含む、段落２の方法。
【０１０２】
５．チャネル品質が閾値を下回る時に、上記方法が単一の第１の時間期間における同期ビーコンの探索を実行するステップを含み、単一の第１の期間の同期ビーコンの探索に加えて、連続した第１の時間期間にわたって第１の期間の異なる小部分において同期ビーコンの探索を繰返し実行するステップが実行される、段落２の方法。
【０１０３】
６．チャネル品質が閾値を上回る時に、単一の第１の時間期間の同期ビーコンの探索を実行する代わりに、探索を繰返し実行するステップが実行される、段落５の方法。
【０１０４】
７．探索を繰返し実行する前記ステップが、第１の連続した第１の時間期間における第１の時間期間の第１の小部分をサンプリングするステップと、第１の連続した第１の時間期間における第１の時間期間の第１の小部分の同期ビーコン検出を実行するステップと、同期ビーコン検出の実行と同時に、第２の連続した第１の時間期間における第１の時間期間の第２の小部分をサンプリングするステップと、を含む、段落１〜６の何れかの方法。
【０１０５】
８．前記繰返し実行するステップにより、第１のＲＡＴの基地局が、第１の時間期間にわたってＵＥに対する複数の迅速フェージングインスタンスを観測し、単一の第１の時間期間における同期ビーコン検出の実行ステップよりも低い平均ブロック誤り率（ＢＬＥＲ）を結果として生じる、段落１〜７の何れかの方法。
【０１０６】
９．前記第１のＲＡＴがロング・ターム・エボリューション（ＬＴＥ）を含み、第２のＲＡＴがグローバル・システム・フォー・モバイル・コミュニケーションズ（ＧＳＭ）を含む、段落１〜８の何れかの方法。
【０１０７】
１０．同期ビーコンが、第２のＲＡＴの周波数訂正チャネル（ＦＣＣＨ）のバーストを含む、段落１〜９の何れかの方法。
【０１０８】
１１．選択的な近傍セル測定を実行するよう構成されたユーザ装置デバイス（ＵＥ）であって、ロング・ターム・エボリューション（ＬＴＥ）及びグローバル・システム・フォー・モバイル・コミュニケーションズ（ＧＳＭ）を使用して通信を実行し、ＬＴＥ及びＧＳＭ双方への接続を維持するよう構成された第１の無線機と、第１の無線機に結合された１又はそれ以上のプロセッサと、を備え、１又はそれ以上のプロセッサ及び第１の無線機が、第１の無線機を使用してＬＴＥ基地局とのＬＴＥ通信を実行し、ＬＴＥ基地局とのＬＴＥ通信を実行している間に、連続した第１の時間期間にわたって第１の時間期間の異なる小部分においてＧＳＭに対する同期ビーコンの探索を繰返し実行する、よう構成され、探索は、同期ビーコンが連続した期間の１つのそれぞれの小部分に位置付けられるまで繰返し実行され、同期ビーコンの探索の実行が第１の無線機を使用して実行され、同期ビーコンはＧＳＭの基地局によって送信される、ユーザ装置デバイス（ＵＥ）。
【０１０９】
１２．１又はそれ以上のプロセッサが更に、ＧＳＭのチャネル品質を決定し、チャネル品質を閾値と比較する、よう構成され、同期ビーコンの探索を繰返し実行することが、チャネル品質と閾値の比較に基づいて実行される、段落１１のＵＥ。
【０１１０】
１３．チャネル品質を決定することが、ＧＳＭの基地局の信号強度を決定することを含む、段落１２のＵＥ。
【０１１１】
１４．チャネル品質が閾値を下回る時に、本方法は、単一の第１の時間期間における同期ビーコンの探索を実行するステップを含み、単一の第１の時間期間の同期ビーコンの探索に加えて、連続した第１の時間期間にわたって第１の時間期間の異なる小部分において同期ビーコンの探索を繰返し実行する前記ステップが実行される、段落１２のＵＥ。
【０１１２】
１５．第１の時間期間が１０個のＧＳＭフレームを含み、同期ビーコンが周波数訂正チャネル（ＦＣＣＨ）バーストを含む、段落１１〜１４の何れかのＵＥ。
【０１１３】
１６．探索を繰返し実行することが、第１の連続した第１の時間期間における第１の時間期間の第１の小部分をサンプリングし、第１の連続した第１の時間期間における第１の時間期間の第１の小部分の同期ビーコン検出を実行し、同期ビーコン検出の実行と同時に、第２の連続した第１の時間期間における第１の時間期間の第２の小部分をサンプリングする、ことを含む、段落１１〜１５の何れかのＵＥ。
【０１１４】
１７．ＵＥは、ＳＩＭ（加入者識別モジュール）機能を実装するよう各々構成された２つのスマートカードを含み、ＵＥは、第１の無線機を使用してＤＳＤＡ（デュアルＳＩＭデュアルアクティブ）機能を実装するよう構成される、段落１１〜１６の何れかのＵＥ。
【０１１５】
１８．ユーザ装置デバイス（ＵＥ）による選択的測定を実行するためのプログラム命令を記憶する非一時的コンピュータアクセス可能メモリ媒体であって、ＵＥが、第１の無線機アクセス技術（ＲＡＴ）及び第２のＲＡＴを使用して通信するための第１の無線機を備え、プログラム命令が、第１の無線機を使用して第１のＲＡＴ基地局との第１のＲＡＴ送信を実行し、第２のＲＡＴ同期ビーコンを探索するために第２のＲＡＴチューンアウェイを実行する要求を受信し、要求に応答して、第１の時間期間にわたって分散される複数の第２のＲＡＴチューンアウェイ動作を実行する、ようプロセッサによって実行可能であり、複数の第２のＲＡＴチューンアウェイ動作の各々が、第２のＲＡＴ同期ビーコンを探索するための標準的な第２のＲＡＴチューンアウェイよりも短く、第１の時間期間が、第２のＲＡＴ同期ビーコンを探索するための標準的な第２のＲＡＴチューンアウェイ動作よりも長い、非一時的コンピュータアクセス可能メモリ媒体。
【０１１６】
１９．第２のＲＡＴが、グローバル・システム・フォー・モバイル・コミュニケーションズ（ＧＳＭ）を含み、同期ビーコンが周波数訂正チャネル（ＦＣＣＨ）のバーストを含む、請求項１８の非一時的コンピュータアクセス可能メモリ媒体。
【０１１７】
２０．同期ビーコンが、ｎフレーム毎に繰返しブロードキャストされ、複数の第２のＲＡＴチューンアウェイ動作を実行することが、ｎフレームの第１のセットの第１の小部分をサンプリングし、ｎフレームの第１のセットの第１の小部分の同期ビーコン検出を実行し、同期ビーコン検出の実行と同時に、ｎフレームの第２のセットの第２の小部分をサンプリングする、ことを含み、第１の小部分が、第２のセットのｎフレームの第２の小部分とは異なる第１のセットのｎフレームの小部分である、請求項１８の非一時的コンピュータアクセス可能メモリ媒体。
【０１１８】
２１．方法は、第１の無線機アクセス技術（ＲＡＴ）及び第２のＲＡＴに従って動作するよう構成可能な第１の無線機を備えるユーザ装置デバイス（ＵＥ）において、第１のＲＡＴに従ってＵＥの第１の無線機を低周波数のスリープ及びウェイクアップサイクルを有して動作させるステップと、第２のＲＡＴに従って第１の無線機を高周波数のスリープ及びウェイクアップサイクルを有して動作させるステップと、を含み、第１の無線機が、第１のＲＡＴ及び第２のＲＡＴの各々に対してＵＥの発振器に基づいて動作する第１クロックを使用し、本方法が更に、無線機が第１のＲＡＴに従って動作している時に、第１のＲＡＴのスリープ及びウェイクアップの複数のサイクルの後に第１クロックの周波数誤り推定（ＦＥＥ）を実行して、該ＦＥＥに基づいて第１クロックを調整するステップを含み、第１のＲＡＴに従って動作する間にＦＥＥを実行して第１クロックを調整するステップが、第２のＲＡＴに従って動作する時には、ＦＥＥを実行して第１クロックを調整する無線機の周波数を低減するよう動作する。
【０１１９】
２２．ＦＥＥ及びクロック調整を実行すべき満了時を示す第２のＲＡＴ  ＦＦＥタイマを動作させるステップを更に含み、第２のＲＡＴ  ＦＥＥタイマは、第１のＲＡＴに対する第１クロックのＦＥＥの実行時にリセットされる、段落２１の方法。
【０１２０】
２３．第２のＲＡＴ  ＦＥＥタイマの満了時に第１のＲＡＴがスリープ及びウェイクアップサイクルのスリープ部分にある時に、第２のＲＡＴ  ＦＥＥタイマの満了時に第１のＲＡＴがスリープ及びウェイクアップサイクルのスリープ部分にあることに応答して、第１クロックのＦＥＥを実行するステップを更に含む、段落２２の方法。
【０１２１】
２４．第１のＲＡＴのＦＥＥを使用して、第２のＲＡＴに対する第１クロックを調整するステップを更に含む、段落２１〜２３の何れかの方法。
【０１２２】
２５．第１の無線機が、第１のＲＡＴに関連したスリープサイクルの間に第１のＲＡＴに対して第１クロックを使用し、第２のＲＡＴに関連したスリープサイクルの間に第２のＲＡＴに対して第１クロックを使用する、段落２１〜２４の何れかの方法。
【０１２３】
２６．ＵＥがセルラー通信を実行するための単一の無線機のみを備え、第１の無線機が単一の無線機である、段落２１〜２５の何れかの方法。
【０１２４】
２７．ＵＥが、ＳＩＭ（加入者識別モジュール）機能を実装するよう各々が構成された２つのスマートカードを含み、ＵＥは、第１の無線機を使用してＤＳＤＡ（デュアルＳＩＭデュアルアクティブ）機能を実装するよう構成される、段落２１〜２６の何れかの方法。
【０１２５】
２８．第１のＲＡＴがロング・ターム・エボリューション（ＬＴＥ）を含む、段落２１〜２７の何れかの方法。
【０１２６】
２９．第２のＲＡＴがグローバル・システム・フォー・モバイル・コミュニケーションズ（ＧＳＭ）を含む、段落２１〜２８の何れかの方法。
【０１２７】
３０．発振器が水晶発振器を含む、段落２１〜２９の何れかの方法。
【０１２８】
３１．選択的な近傍セル測定を実行するよう構成されたユーザ装置デバイス（ＵＥ）であって、発振器と、発振器に結合された第１の無線機と、を備え、第１の無線機が、第１の無線機アクセス技術（ＲＡＴ）及び第２のＲＡＴを使用して通信を実行し、第１のＲＡＴ及び第２のＲＡＴの双方への接続を維持するよう構成され、第１の無線機が、第１のＲＡＴと第２のＲＡＴ双方に対して上記発振器を使用し、ユーザ装置デバイス（ＵＥ）が更に、第１の無線機に結合された１又はそれ以上のプロセッサを備え、該１又はそれ以上のプロセッサ及び第１の無線機が、第１のＲＡＴに関連した第１ソフトウェアを使用して第１の無線機を構成し、第２のＲＡＴに関連した第２ソフトウェアを使用して第１の無線機を構成するよう構成されており、第１ソフトウェアは、第２ソフトウェアが第２のＲＡＴに対して第１の無線機を動作させるよりも第１のＲＡＴに対して低周波数のスリープ及びウェイクアップサイクルで第１の無線機を動作させ、無線機が第１ソフトウェアを使用して第１のＲＡＴに従って動作するよう構成される時に、第１ソフトウェアが、発振器に基づく第１クロックの周波数誤り推定（ＦＥＥ）を実行して、該ＦＥＥに基づいて第１クロックを調整し、ＦＥＥを実行する第１ソフトウェアが、ＦＥＥを実行する第２ソフトウェアの周波数を低減するよう動作する。
【０１２９】
３２．第１の無線機が、第１のＲＡＴ及び第２のＲＡＴ双方に対して第１クロックを使用し、ＦＥＥを実行することが、第１クロックを調整することを含む、段落３１のＵＥ。
【０１３０】
３３．第１の無線機が、第１のＲＡＴに関連したスリープサイクルの間に第１クロックを使用し、第１の無線機が、第２のＲＡＴに関連したスリープサイクルの間に第１クロックを使用する、段落３１−３２の何れかのＵＥ。
【０１３１】
３４．第２ソフトウェアが、ＦＥＥを実行すべき満了時を示す第２のＲＡＴ  ＦＥＥタイマを動作させるよう構成され、第２のＲＡＴ  ＦＥＥタイマが、第１のＲＡＴに対する第１クロックのＦＥＥの実行時にリセットされる、段落３１−３３の何れかのＵＥ。
【０１３２】
３５．第２のＲＡＴ  ＦＥＥタイマの満了時に第１のＲＡＴがスリープ及びウェイクアップサイクルのスリープ部分にある時に、第２ソフトウェアは、第１のＲＡＴが第２のＲＡＴ  ＦＥＥタイマの満了時にスリープ及びウェイクアップサイクルのスリープ部分にあることに応答してＦＥＥを実行するよう構成される、段落３４のＵＥ。
【０１３３】
３６．第２ソフトウェアは、ＦＥＥの結果を使用して第２のＲＡＴに対してクロックを調整するよう構成される、段落３１−３５の何れかのＵＥ。
【０１３４】
３７．ＵＥがセルラー通信を実行するための単一の無線機のみを備え、第１の無線機が単一の無線機である、段落３１−３６の何れかのＵＥ。
【０１３５】
３８．ＵＥが、ＳＩＭ（加入者識別モジュール）機能を実装するよう各々が構成された２つのスマートカードを含み、ＵＥは、第１の無線機を使用してＤＳＤＡ（デュアルＳＩＭデュアルアクティブ）機能を実装するよう構成される、段落３１−３７の何れかのＵＥ。
【０１３６】
３９．第１のＲＡＴがロング・ターム・エボリューション（ＬＴＥ）を含み、第２のＲＡＴがグローバル・システム・フォー・モバイル・コミュニケーションズ（ＧＳＭ）を含む、段落３１−３８の何れかのＵＥ。
【０１３７】
４０．ユーザ装置デバイス（ＵＥ）によって選択的測定を実行するためのプログラム命令を記憶する非一時的コンピュータアクセス可能メモリ媒体であって、上記ＵＥが、第１の無線機アクセス技術（ＲＡＴ）及び第２のＲＡＴを使用して通信するための第１の無線機を備え、上記プログラム命令が、第１のＲＡＴに従ってＵＥの第１の無線機を動作させ、第２のＲＡＴに従って第１の無線機を動作させる、ようプロセッサによって実行可能であり、第１の無線機が、第２のＲＡＴに従って動作する時よりも第１のＲＡＴに従って動作する時に低周波数のスリープ及びウェイクアップサイクルを有し、第１の無線機が、第１のＲＡＴ及び第２のＲＡＴの各々に対して第１クロックを使用し、上記プログラム命令が更に、無線機が第１のＲＡＴに従って動作している時に、第１クロックの周波数誤り推定（ＦＥＥ）を実行してＦＥＥに基づいて第１クロックを調整するようプロセッサによって実行可能であり、第１のＲＡＴに従って動作する時にＦＥＥを実行して第１クロックを調整することが、第２のＲＡＴに従って動作する時にＦＥＥを実行して第１クロックを調整する無線機の周波数を低減するよう動作する。
【０１３８】
４１．ＵＥデバイスを動作させる方法であって、本方法が、第１の無線機アクセス技術（ＲＡＴ）及び第２のＲＡＴに同時をサポートする第１の無線機を備えたＵＥデバイスにおいて、ＵＥによって、第１の無線機上で第１のＲＡＴに従って基地局との送信を実行するステップと、第２のＲＡＴに対して連続した第１の時間期間に繰返し発生する同期ビーコンを検出するためにチューンアウェイを実行する要求を受信するステップと、連続した第１の時間期間にわたって異なる小部分における同期ビーコンの探索を繰返し実行するステップと、を含み、当該探索は、同期ビーコンが連続した期間のうちの１つのそれぞれの小部分に位置付けられるまで繰返し実行される。
【０１３９】
４２．上記繰返し実行するステップにより、ＬＴＥ基地局が、第１の時間期間にわたって複数の迅速フェージングインスタンスを観測し、より低い平均ブロック誤り率（ＢＬＥＲ）を結果として生じる、請求項４１の方法。
【０１４０】
４３．ＵＥデバイスを動作させる方法であって、本方法は、ＬＴＥデータ送信及びＧＳＭ送信に同時をサポートする、少なくとも１つの送信／受信チェーンを備えたＵＥデバイスにおいて、ＵＥによって、少なくとも１つの送信／受信チェーン上でＬＴＥ基地局とのＬＴＥ送信を実行するステップと、ＧＳＭセルを探索するためにＧＳＭチューンアウェイを実行する要求を受信するステップと、第１の時間期間にわたって分散される複数のＧＳＭチューンアウェイ動作を実行するステップと、を含み、複数のＧＳＭチューンアウェイ動作の各々が、標準的なＧＳＭチューンアウェイ動作よりも短く、第１の時間期間が、標準的なＧＳＭチューンアウェイ動作よりも長く、複数のＧＳＭチューンアウェイ動作を実行する上記ステップにより、ＬＴＥ基地局が、第１の時間期間にわたって複数の迅速フェージングインスタンスを観測し、平均的な低ブロック誤り率（ＢＬＥＲ）を結果として生じるようになる。
【０１４１】
４４．ユーザ装置（ＵＥ）を動作させる方法であって、本方法が、第１の無線機アクセス技術（ＲＡＴ）に従ってＵＥの第１の無線機を低周波数のスリープ及びウェイクアップサイクルを有して動作させるステップと、第２のＲＡＴに従って第１の無線機を高周波数のスリープ及びウェーブアップサイクルを有して動作させるステップと、を含み、第１の無線機が、第１のＲＡＴ及び第２のＲＡＴの各々に対してＵＥの発振器に基づいて動作する第１クロックを使用し、本方法が更に、無線機が第１のＲＡＴに従って動作している時に、スリープ及びウェイクアップの複数のサイクルの後に第１クロック信号の周波数誤り推定（ＦＥＥ）を実行して、当該周波数誤り推定に基づいて第１クロックを調整するステップを含み、ＦＥＥを実行して第１クロックを調整する第１のＲＡＴに従って動作する無線機が、第２のＲＡＴに従って動作する時には周波数誤り推定を実行して第１クロックを調整する無線機の周波数を低下させるよう動作する。
【０１４２】
４５．ＵＥが、第２のＲＡＴに従って第１の無線機を構成するソフトウェアによって周波数誤り推定及びクロック調整を実行すべき満了時を示す第２のＲＡＴ  ＦＥＥタイマを動作させ、第１のＲＡＴに従って第１の無線機を構成するソフトウェアが、サイクルのスリープ部分にあり、第２のＲＡＴ  ＦＥＥタイマの満了時である場合に、第２のＲＡＴ  ＦＥＥが実行される、段落４４の方法。
【０１４３】
４６．ユーザ装置（ＵＥ）を動作させる方法であって、本方法が、第１の無線機アクセス技術（ＲＡＴ）に従って低周波数のスリープ及びウェイクアップサイクルを有する第１ソフトウェアによってＵＥの第１の無線機を構成するステップと、第２のＲＡＴに従って高周波数のスリープ及びウェイクアップサイクルを有する第２ソフトウェアによって第１の無線機を構成するステップと、を含み、第１の無線機が、第１のＲＡＴ及び第２のＲＡＴの各々に対してＵＥの発振器に基づいて動作する第１クロックを使用し、本方法が更に、無線機が第１ソフトウェアに従って構成され且つ第１のＲＡＴに従って動作している時には、スリープ及びウェイクアップの複数のサイクルの後に、第１ソフトウェアが、第１クロック信号の周波数誤り推定（ＦＥＥ）を実行して、当該周波数誤り推定に基づいて第１クロックを調整し、周波数誤り推定を実行して第１クロックを調整する第１ソフトウェアが、無線機が第２のＲＡＴに従って動作している時には、周波数誤り推定を実行して第１クロックを調整する第２ソフトウェアの周波数を低減するよう動作する。
【０１４４】
４７．ＵＥが、ＳＩＭ（加入者識別モジュール）機能を各々が実装する２つのスマートカードを含み、ＵＥは、ＤＳＤＡ（デュアルＳＩＭデュアルアクティブ）機能を実装する、１から４６までの請求項の何れかの方法。
【０１４５】
４８．本明細書の詳細な説明に実質的に記載された何れかの動作又は何れかの動作の組み合せを含む方法。
【０１４６】
４９．図１から図８の各々又は何れかの組み合せを参照し、又は詳細な説明の段落の各々又は段落の何れかの組み合せを参照して本明細書で実質的に記載された方法。
【０１４７】
５０．本明細書の詳細な説明において実質的に記載された何れかの動作又は動作の何れかの組み合せを実行するよう構成された無線デバイス。
【０１４８】
５１．本明細書の詳細な説明において記載された無線デバイスに含まれる何れかの構成要素又は何れかの構成要素の組み合せを含む無線デバイス。
【０１４９】
５２．実行された時に本明細書の詳細な説明に実質的に記載された何れか動作又は何れかの動作の組み合せを実行させるようにする、命令を記憶する不揮発性コンピュータ可読媒体。
【０１５０】
５３．本明細書の詳細な説明において実質的に記載された何れかの動作又は何れかの動作の組み合せを実行するよう構成された集積回路。
【０１５１】
本発明の実施形態は、様々な形式の何れかで実施することができる。例えば、一部の実施形態において、本発明は、コンピュータに実装される方法、コンピュータ可読メモリ媒体、又はコンピュータシステムとして実現することができる。他の実施形態において、本発明は、ＡＳＩＣのような１又はそれ以上のカスタム設計ハードウェアデバイスを使用して実現することができる。他の実施形態において、本発明は、ＦＰＧＡのような１又はそれ以上のプログラマブルハードウェア要素を使用して実現することができる。
【０１５２】
幾つかの実施形態において、非一時的コンピュータ可読メモリ媒体は、プログラム命令及び／又はデータを記憶するように構成することができ、ここでプログラム命令は、コンピュータシステムによって実行された時に、コンピュータシステムに対して、方法、例えば本明細書に記載した方法の実施形態の何れか、又は本明細書に記載した方法の実施形態の何れかの組み合せ、又は本明細書に記載した方法の実施形態の何れかのあらゆるサブセット、又はこのようなサブセットの何らかの組み合せを実行させるようにする。
【０１５３】
一部の実施形態において、デバイス（ＵＥなど）は、プロセッサ（又はプロセッサのセット）及びメモリ媒体を含めるように構成することができ、ここでメモリ媒体は、プログラム命令を記憶し、プロセッサは、メモリ媒体からプログラム命令を読み出して実行するよう構成され、プログラム命令は、本明細書に記載した様々な方法の実施形態の何れか（又は、本明細書に記載した方法の実施形態の何れかの組み合せ、又は本明細書に記載した方法の実施形態の何れのあらゆるサブセット、又はこのようなサブセットの何らかの組み合せ）を実施するよう実行可能である。このデバイスは、様々な形式の何れかで実現することができる。
【０１５４】
上記の実施形態について詳細に説明してきたが、上記の開示が十分に理解されると、多くの変形形態及び修正形態が当業者には明らかになるであろう。添付の請求項は、全てのこのような変形形態及び修正形態を包含すると解釈すべきである。
【図１】
2015181226.tif 000003
【図２】
2015181226.tif 000004
【図３】
2015181226.tif 000005
【図４】
2015181226.tif 000006
【図５Ａ】
2015181226.tif 000007
【図５Ｂ】
2015181226.tif 000008
【図６】
2015181226.tif 000009
【図７】
2015181226.tif 000010
【図８】
2015181226.tif 000011
【外国語明細書】
2015181226000001.pdf